(57)【要約】  第五世代移動通信システムにおけるバッファ状態報告の実装上の課題を解決できる無線端末、無線基地局、無線通信システム、バッファ状態報告の伝送方法を提供することを目的とする。【課題を解決するための手段】  開示の無線端末は、無線基地局および無線端末を含む無線通信システムにおいて用いられる無線端末であって、無線基地局へ送信されるべきアップリンクデータを格納するバッファを含むメモリ部と、バッファに格納されたアップリンクデータのサイズであるバッファサイズに対応する第一インデックスを格納するための第一フィールドを含むバッファ状態報告を、無線基地局へ送信する制御部と、を備え、バッファ状態報告は、第一フィールドに格納される第一インデックスが第一の値に該当する場合、バッファサイズを第一フィールドとともに示す第二インデックスを格納するための第二フィールドを含む。
2019097589.tif 000002
【特許請求の範囲】
【請求項１】
無線基地局および無線端末を含む無線通信システムにおいて用いられる無線端末であって、
前記無線基地局へ送信されるアップリンクデータを格納するバッファを含むメモリ部と、
前記バッファに格納された前記アップリンクデータのサイズであるバッファサイズに対応する第一インデックスを格納するための第一フィールドを含むバッファ状態報告を、前記無線基地局へ送信する制御部と、
を備え、
前記バッファ状態報告は、前記第一フィールドに格納される前記第一インデックスが第一の値に該当する場合、前記バッファサイズを前記第一フィールドとともに示す第二インデックスを格納するための第二フィールドを含む、
ことを特徴とする無線端末。
【請求項２】
請求項１に記載の無線端末であって、
前記第一インデックスおよび前記第二インデックスの各々は、所定のバッファサイズが対応付けられており、
前記バッファ状態報告が前記第一フィールドと前記第二フィールドとを含む場合、前記第一フィールドに格納される前記第一インデックスに対応する第一バッファサイズと、前記第二フィールドに格納される前記第二インデックスに対応する第二バッファサイズとの合計値により、前記アップリンクデータのサイズが示される、
ことを特徴とする無線端末。
【請求項３】
請求項１に記載の無線端末であって、
前記第一インデックスは、所定のバッファサイズが対応付けられており、
前記第二インデックスは、所定の係数が対応付けられており、
前記バッファ状態報告が前記第一フィールドと前記第二フィールドとを含む場合、前記第一フィールドに格納される前記第一インデックスに対応する第一バッファサイズに、前記第二フィールドに格納される前記第二インデックスに対応する係数を乗算した値により、前記アップリンクデータのサイズが示される、
ことを特徴とする無線端末。
【請求項４】
請求項２または請求項３に記載の無線端末であって、
前記メモリ部は、複数のインデックスの各々とバッファサイズとの対応関係を示す変換テーブルを複数有しており、前記複数の変換テーブルは第一変換テーブルと第二変換テーブルとを含み、前記第一変換テーブルにおいて最大のバッファサイズを示す前記第一インデックスに対応するバッファサイズの下限値が第一下限値であり、前記第二変換テーブルにおいて最大のバッファサイズを示す前記第二インデックスに対応するバッファサイズの下限値が前記第一下限値よりも大きい第二下限値であり、
前記制御部は、処理対象の論理チャネルグループに応じた変換テーブルに従って、前記第一フィールド及び前記第二フィールドに格納すべき値を選択する、
ことを特徴とする無線端末。
【請求項５】
請求項４に記載の無線端末であって、
前記第二変換テーブルは、伝送容量の大きい第一伝送サービスに用いられる第一論理チャネルグループに割当てられ、
前記第一変換テーブルは、伝送容量が前記第一伝送サービスよりも少ない第二伝送サービスに用いられる第二論理チャネルグループに割当てられる、
ことを特徴とする無線端末。
【請求項６】
無線基地局および無線端末を含む無線通信システムにおいて用いられる無線基地局であって、
前記無線端末のバッファに格納されたアップリンクデータのサイズであるバッファサイズを通知するバッファ状態報告を、前記無線端末から受信する制御部、
を備え、
前記制御部は、前記バッファ状態報告が、前記バッファサイズに対応する第一インデックスを格納するための第一フィールドと、前記バッファサイズを前記第一フィールドとともに示す第二インデックスを格納するための第二フィールドとを含む場合、前記第一インデックスと前記第二インデックスとに基づいて、前記無線端末の前記アップリンクデータのサイズを推定する、
ことを特徴とする無線基地局。
【請求項７】
請求項６に記載の無線基地局であって、
前記第一インデックスおよび前記第二インデックスの各々は、所定のバッファサイズが対応付けられており、
前記バッファ状態報告が前記第一フィールドと前記第二フィールドとを含む場合、前記第一フィールドに格納される前記第一インデックスに対応する第一バッファサイズと、前記第二フィールドに格納される前記第二インデックスに対応する第二バッファサイズとの合計値により、前記無線端末の前記アップリンクデータのサイズを推定する、
ことを特徴とする無線基地局。
【請求項８】
請求項６に記載の無線基地局であって、
前記第一インデックスは、所定のバッファサイズが対応付けられており、
前記第二インデックスは、所定の係数が対応付けられており、
前記バッファ状態報告が前記第一フィールドと前記第二フィールドとを含む場合、前記第一フィールドに格納される前記第一インデックスに対応する第一バッファサイズに、前記第二フィールドに格納される前記第二インデックスに対応する係数を乗算した値により、前記無線端末の前記アップリンクデータのサイズを推定する、
ことを特徴とする無線基地局。
【請求項９】
請求項７または請求項８に記載の無線基地局であって、
複数のインデックスの各々とバッファサイズとの対応関係を示す変換テーブルを複数有するメモリ部を備え、
前記複数の変換テーブルは、バッファサイズの最大値が第一最大値である第一変換テーブルと、バッファサイズの最大値が前記第一最大値よりも大きい第二最大値である第二変換テーブルとを含み、
前記制御部は、処理対象の論理チャネルグループに応じた変換テーブルに従って、前記第一フィールド及び前記第二フィールドに格納された値から対応するバッファサイズを選択する、
ことを特徴とする無線基地局。
【請求項１０】
請求項９に記載の無線基地局であって、
前記第二変換テーブルは、伝送容量の大きい第一伝送サービスに用いられる第一論理チャネルグループに割当てられ、
前記第一変換テーブルは、伝送容量が前記第一伝送サービスよりも少ない第二伝送サービスに用いられる第二論理チャネルグループに割当てられる、
ことを特徴とする無線基地局。
【請求項１１】
無線基地局および無線端末を含む無線通信システムであって、
前記無線端末は、
前記無線基地局へ送信されるべきアップリンクデータを格納するバッファを含むメモリ部と、
前記バッファに格納された前記アップリンクデータのサイズであるバッファサイズに対応する第一インデックスを格納するための第一フィールドを含むバッファ状態報告を、前記無線基地局へ送信する制御部と、
を備え、
前記バッファ状態報告は、前記第一フィールドに格納される前記第一インデックスが第一の値に該当する場合、前記バッファサイズを前記第一フィールドとともに示す第二インデックスを格納するための第二フィールドを含み、
前記無線基地局は、
前記バッファ状態報告を前記無線端末から受信する第二の制御部、
を備え、
前記第二の制御部は、前記バッファ状態報告が、前記バッファサイズに対応する第一インデックスを格納するための第一フィールドと、前記バッファサイズを前記第一フィールドとともに示す第二インデックスを格納するための第二フィールドとを含む場合、前記第一インデックスと前記第二インデックスとに基づいて、前記無線端末の前記アップリンクデータのサイズを推定する、
ことを特徴とする無線通信システム。
【請求項１２】
請求項１１に記載の無線通信システムであって、
前記第一インデックスおよび前記第二インデックスの各々は、所定のバッファサイズが対応付けられており、
前記バッファ状態報告が前記第一フィールドと前記第二フィールドとを含む場合、前記第一フィールドに格納される前記第一インデックスに対応する第一バッファサイズと、前記第二フィールドに格納される前記第二インデックスに対応する第二バッファサイズとの合計値により、前記アップリンクデータのサイズが示される、
ことを特徴とする無線通信システム。
【請求項１３】
請求項１１に記載の無線通信システムであって、
前記第一インデックスは、所定のバッファサイズが対応付けられており、
前記第二インデックスは、所定の係数が対応付けられており、
前記バッファ状態報告が前記第一フィールドと前記第二フィールドとを含む場合、前記第一フィールドに格納される前記第一インデックスに対応する第一バッファサイズに、前記第二フィールドに格納される前記第二インデックスに対応する係数を乗算した値により、前記アップリンクデータのサイズが示される、
ことを特徴とする無線通信システム。
【請求項１４】
請求項１２または請求項１３に記載の無線通信システムであって、
前記無線端末および前記無線基地局は、
複数のインデックスの各々とバッファサイズとの対応関係を示す変換テーブルを複数有しており、
前記複数の変換テーブルは、バッファサイズの最大値が第一最大値である第一変換テーブルと、バッファサイズの最大値が前記第一最大値よりも大きい第二最大値である第二変換テーブルとを含み、
前記制御部は、処理対象の論理チャネルグループに応じた変換テーブルに従って、前記第一フィールド及び前記第二フィールドに格納すべき値を選択し、
前記第二の制御部は、処理対象の論理チャネルグループに応じた変換テーブルに従って、前記第一フィールド及び前記第二フィールドに格納された値から対応するバッファサイズを選択する、
ことを特徴とする無線通信システム。
【請求項１５】
請求項１４に記載の無線通信システムであって、
前記第二変換テーブルは、伝送容量の大きい第一伝送サービスに用いられる第一論理チャネルグループに割当てられ、
前記第一変換テーブルは、伝送容量が前記第一伝送サービスよりも少ない第二伝送サービスに用いられる第二論理チャネルグループに割当てられる、
ことを特徴とする無線通信システム。
【請求項１６】
無線端末におけるバッファ状態報告の伝送方法であって、
前記無線端末のバッファに格納されたアップリンクデータのサイズであるバッファサイズに対応する第一インデックスを取得し、
前記第一インデックスが第一の値に該当する場合、前記第一インデックスを格納するための第一フィールドと、前記第一フィールドとともに前記バッファサイズを示す第二インデックスを格納するための第二フィールドを、前記バッファ状態報告に追加する、
ことを特徴とするバッファ状態報告の伝送方法。
【請求項１７】
請求項１６に記載のバッファ状態報告の伝送方法であって、
前記第一インデックスおよび前記第二インデックスの各々は、所定のバッファサイズが対応付けられており、
前記バッファ状態報告が前記第一フィールドと前記第二フィールドとを含む場合、前記第一フィールドに格納される前記第一インデックスに対応する第一バッファサイズと、前記第二フィールドに格納される前記第二インデックスに対応する第二バッファサイズとの合計値により、前記アップリンクデータのサイズが示される、
ことを特徴とするバッファ状態報告の伝送方法。
【請求項１８】
請求項１６に記載のバッファ状態報告の伝送方法であって、
前記第一インデックスは、所定のバッファサイズが対応付けられており、
前記第二インデックスは、所定の係数が対応付けられており、
前記バッファ状態報告が前記第一フィールドと前記第二フィールドとを含む場合、前記第一フィールドに格納される前記第一インデックスに対応する第一バッファサイズに、前記第二フィールドに格納される前記第二インデックスに対応する係数を乗算した値により、前記アップリンクデータのサイズが示される、
ことを特徴とするバッファ状態報告の伝送方法。
【請求項１９】
請求項１７または請求項１８に記載のバッファ状態報告の伝送方法であって、
複数のインデックスの各々とバッファサイズとの対応関係を示す複数の変換テーブルであって、バッファサイズの最大値が第一最大値である第一変換テーブルと、バッファサイズの最大値が前記第一最大値よりも大きい第二最大値である第二変換テーブルとを含む前記複数の変換テーブルのうち、処理対象の論理チャネルグループに応じた変換テーブルを選択し、
前記処理対象の論理チャネルグループに応じた前記変換テーブルに従って、前記第一フィールド及び前記第二フィールドに格納すべき値を選択する、
ことを特徴とするバッファ状態報告の伝送方法。
【請求項２０】
請求項１９に記載のバッファ状態報告の伝送方法であって、
前記第二変換テーブルは、伝送容量の大きい第一伝送サービスに用いられる第一論理チャネルグループに割当てられ、
前記第一変換テーブルは、伝送容量が前記第一伝送サービスよりも少ない第二伝送サービスに用いられる第二論理チャネルグループに割当てられる、
ことを特徴とするバッファ状態報告の伝送方法。
【請求項２１】
請求項１に記載の無線端末であって、
前記バッファ状態報告は、前記第一フィールドに格納される前記第一インデックスが前記第一の値に該当する場合に限り、前記第二インデックスを格納するための前記第二フィールドを含み、
前記バッファ状態報告は、前記第一フィールドに格納される前記第一インデックスが前記第一の値に該当しない場合、前記第二インデックスを格納するための前記第二フィールドを含まない、
ことを特徴とする無線端末。
【発明の詳細な説明】
【技術分野】
【０００１】
本発明は、無線端末、無線基地局、無線通信システム、バッファ状態報告の伝送方法に関する。
【背景技術】
【０００２】
近年、携帯電話システム（セルラーシステム）等の無線通信システム（移動通信システムとも称される）において、無線通信の更なる高速化・大容量化等を図るため、次世代の無線通信技術について議論が行われている。例えば、標準化団体である３ＧＰＰ（3rd Generation Partnership Project）では、ＬＴＥ（Long Term Evolution）と呼ばれる通信規格や、ＬＴＥの無線通信技術をベースとしたＬＴＥ−Ａ（LTE-Advanced）と呼ばれる通信規格の仕様策定を既に行い、その機能の拡張のための検討作業が継続的に行なわれている。例えば、ＩＴＵ−Ｒ(International Telecommunication Union Radio communications sector)から提示された運用シナリオや技術要件の内容を実現する第五世代移動通信システム（５Ｇシステムとも称される）の標準化に関する議論が行われている。【０００３】
上述のような無線通信システムでは、無線基地局（基地局とも称される）がより高い効率で無線リソースのスケジューリングを行うことを助け得るために、アップリンク（Uplink：ULとも称される）スケジューリング情報、例えば、無線端末（端末、ユーザ端末、移動局とも称される）のバッファ状態報告（Buffer Status Report: BSRとも称される）を、無線端末が無線基地局へ送信する。無線端末のバッファ状態報告（ＢＳＲ）の伝送は、例えば、無線端末の送信バッファに滞留しているデータの量に基づく情報が伝送される。【０００４】
ＢＳＲの伝送効率の観点から、無線端末は、送信バッファ（バッファとも称される）に滞留しているデータの量を、所定の粒度で量子化したインデックス値（ＢＳＲインデックスとも称される）に変換することで、情報量の圧縮を行う。そのため、無線端末及び無線基地局は、バッファ状態報告インデックステーブル（ＢＳＲインデックステーブルとも称される）が設けられる。ＢＳＲインデックステーブルでは、ＢＳＲの最小値から最大値までの区間（例えば、０ｂｙｔｅから１５００００ｂｙｔｅまでの区間）を複数の小区間に分割し、各小区間のインデックス値がバッファ中のデータ量（バッファ値、バッファサイズとも称される）の範囲に対応する。なお、ＢＳＲインデックステーブルにおける複数のＢＳＲインデックスの何れか一つ（例えば、最後のＢＳＲインデックス）は、バッファ値が最大値を超えているという状態に対応付けられている。【０００５】
無線端末は、上述のＢＳＲインデックステーブルに従って、バッファ中のデータ量（バッファ値、バッファサイズ、data available for transmission, data volumeとも称され得る）に該当する小区間に関連付けられたインデックス値（ＢＳＲインデックス、ＢＳＲインデックス値、ＢＳＲ値とも称される）を特定し、ＢＳＲインデックスを含むＢＳＲを伝送する。無線基地局は、無線端末からのＢＳＲを受信し、どの無線端末がどれくらいの無線リソースを必要とするかを把握し、適切なスケジューリングを行うことができる。なお、無線端末は、無線基地局に無線リソースを割り当てるようにと、積極的に要求してもよい。【０００６】
無線端末からのＢＳＲの送信契機は、例えば、無線基地局から送信される設定情報により指定される周期に従って生起される。無線基地局は、無線端末からのＢＳＲに基づいて無線端末のバッファサイズを推定し、スケジューリングで割当てた無線リソースの量などに基づいて、無線端末のバッファサイズの推定値を更新する。なお、無線端末からのＢＳＲの送信契機は、無線基地局から送信される設定情報により指定される周期以外にもあり得る。例えば、アップリンク信号のパケットを生成する際に、パケットに含ませるパディングビットが所定長以上となる場合にも、無線端末は、ＢＳＲを無線基地局へ送信しようとする。
【先行技術文献】
【特許文献】
【０００７】
【特許文献１】特開２０１６−１８１９２５号公報
【非特許文献】
【０００８】
【非特許文献１】3GPP TS36.211 V14.3.0 (2017-06)
【非特許文献２】3GPP TS36.212 V14.3.0 (2017-06)
【非特許文献３】3GPP TS36.213 V14.3.0 (2017-06)
【非特許文献４】3GPP TS36.214 V14.2.0 (2017-03)
【非特許文献５】3GPP TS36.300 V14.3.0 (2017-06)
【非特許文献６】3GPP TS36.321 V14.3.0 (2017-06)
【非特許文献７】3GPP TS36.322 V14.0.0 (2017-03)
【非特許文献８】3GPP TS36.323 V14.3.0 (2017-06)
【非特許文献９】3GPP TS36.331 V14.3.0 (2017-06)
【非特許文献１０】3GPP TS36.413 V14.3.0 (2017-06)
【非特許文献１１】3GPP TS36.423 V14.3.0 (2017-06)
【非特許文献１２】3GPP TS37.324 V0.2.0 (2017-09)
【非特許文献１３】3GPP TS37.340 V1.0.0 (2017-09)
【非特許文献１４】3GPP TS36.425 V14.0.0 (2017-03)
【非特許文献１５】3GPP TS38.201 V1.0.0 (2017-09)
【非特許文献１６】3GPP TS38.202 V1.0.0 (2017-09)
【非特許文献１７】3GPP TS38.211 V1.0.0 (2017-09)
【非特許文献１８】3GPP TS38.212 V1.0.0 (2017-09)
【非特許文献１９】3GPP TS38.213 V1.0.0 (2017-09)
【非特許文献２０】3GPP TS38.214 V1.0.0 (2017-09)
【非特許文献２１】3GPP TS38.215 V1.0.0 (2017-09)
【非特許文献２２】3GPP TS38.300 V1.0.0 (2017-09)
【非特許文献２３】3GPP TS38.321 V1.0.0 (2017-09)
【非特許文献２４】3GPP TS38.322 V1.0.0 (2017-09)
【非特許文献２５】3GPP TS38.323 V0.3.0 (2017-08)
【非特許文献２６】3GPP TS38.331 V0.0.5 (2017-08)
【非特許文献２７】3GPP TS38.401 V0.2.0 (2017-07)
【非特許文献２８】3GPP TS38.410 V0.4.0 (2017-09)
【非特許文献２９】3GPP TS38.413 V0.3.0 (2017-08)
【非特許文献３０】3GPP TS38.420 V0.2.0 (2017-07)
【非特許文献３１】3GPP TS38.423 V0.2.0 (2017-06)
【非特許文献３２】3GPP TS38.470 V0.3.0 (2017-09)
【非特許文献３３】3GPP TS38.473 V0.3.0 (2017-09)
【非特許文献３４】3GPP TR38.801 V14.0.0 (2017-03)
【非特許文献３５】3GPP TR38.802 V14.1.0 (2017-06)
【非特許文献３６】3GPP TR38.803 V14.1.0 (2017-06)
【非特許文献３７】3GPP TR38.804 V14.0.0 (2017-03)
【非特許文献３８】3GPP TR38.900 V14.3.1 (2017-07)
【非特許文献３９】3GPP TR38.912 V14.0.0 (2017-03)
【非特許文献４０】3GPP TR38.913 V14.3.0 (2017-06)
【発明の概要】
【発明が解決しようとする課題】
【０００９】
第五世代移動通信システム以降の次世代移動通信システムにおいては、例えば、触覚通信や拡張現実など、従来と異なるレベルの超高速大容量伝送が要求されるサービスの登場が期待されている。そのようなサービスの実現に向けて、第五世代移動通信システムでは、超高速大容量伝送サービスである拡張モバイルブロードバンド（ｅＭＢＢ：enhanced Mobile Broadband）を機能要件の一つとしている。例えば、第五世代移動通信システムでは、１０Ｇｂｐｓ（１０×１０＾１２ｂｐｓ）を超える通信速度、第四世代移動通信システム（ＬＴＥとも称され得る）の約１０００倍にもおよぶ大容量化を実現することが目指されている。【００１０】
しかし、第五世代移動通信システムにおける議論はまだ開始されたばかりであり、当面は基本的なシステム設計が主に議論されていくことになると考えられる。そのため、オペレーター内において適宜実装される技術については十分な検討がなされていない。例えば、ｅＭＢＢを実現する上で、ＢＳＲの実装上の課題については、議論があまり進んでいないのが実情である。【００１１】
開示の技術は、上記に鑑みてなされたものであって、第五世代移動通信システムにおけるバッファ状態報告（ＢＳＲ）の実装上の課題を解決できる無線端末、無線基地局、無線通信システム、バッファ状態報告の伝送方法を提供することを目的とする。
【課題を解決するための手段】
【００１２】
開示の一側面によれば、無線基地局および無線端末を含む無線通信システムにおいて用いられる無線端末であって、無線基地局へ送信されるべきアップリンクデータを格納するバッファを含むメモリ部と、バッファに格納されたアップリンクデータのサイズであるバッファサイズに対応する第一インデックスを格納するための第一フィールドを含むバッファ状態報告を、無線基地局へ送信する制御部と、を備え、バッファ状態報告は、第一フィールドに格納される第一インデックスが第一の値に該当する場合、バッファサイズを第一フィールドとともに示す第二インデックスを格納するための第二フィールドを含む。
【発明の効果】
【００１３】
開示の技術の一側面によれば、第五世代移動通信システムにおけるバッファ状態報告（ＢＳＲ）の実装上の課題を解決することができる。
【図面の簡単な説明】
【００１４】
【図１】図１は、実施例１に係る無線通信システムにおけるＢＳＲ伝送のシーケンスの一例を示す図である。
【図２】図２は、実施例１に係るＢＳＲインデックステーブルの一例を示す図である。
【図３】図３は、実施例１に係るバッファ状態報告の一例を示す図である。
【図４】図４は、実施例１に係るＢＳＲ伝送シーケンスにおける無線端末の処理の流れの一例を示す図である。
【図５】図５は、実施例１に係るＢＳＲ伝送シーケンスにおける無線基地局２０の処理の流れの一例を示す図である。
【図６】図６は、実施例２に係るＢＳＲインデックステーブルの一例を示す図である。
【図７】図７は、実施例２に係るバッファ状態報告の一例を示す図である。
【図８】図８は、実施例２に係るＢＳＲ伝送シーケンスにおける無線端末１０の処理の流れの一例を示す図である。
【図９】図９は、実施例２に係るＢＳＲ伝送シーケンスにおける無線基地局２０の処理の流れの一例を示す図である。
【図１０】図１０は、実施例３に係るＢＳＲインデックステーブルの一例を示す図である。
【図１１】図１１は、実施例３に係るＢＳＲ伝送シーケンスにおける無線端末１０の処理の流れの一例を示す図である。
【図１２】図１２は、実施例３に係る変換テーブルとＬＣＧとの対応関係に関する設定情報の一例を示す図である。
【図１３】図１３は、実施例３に係るＢＳＲ伝送シーケンスにおける無線基地局２０の処理の流れの一例を示す図である。
【図１４】図１４は、ＢＳＲインデックスを８ビットに拡張した場合のＢＳＲインデックステーブルの内容例である。
【図１５】図１５は、実施例４に係るＢＳＲインデックステーブルの内容例を示す図である。
【図１６】図１６は、無線通信システム１における無線端末１０と無線基地局２０とのハードウェア構成の一例を示す図である。
【発明を実施するための形態】
【００１５】
＜実施例１＞  以下に、本願の開示する無線端末、無線基地局、無線通信システム、無線通信方法の実施例について、図面を参照しながら詳細に説明する。なお、以下に示す実施例は開示の技術を限定するものではない。また、以下に示す各実施例は、適宜組み合わせて実施してもよいことはいうまでもない。ここで、非特許文献１ないし非特許文献４０の全ての内容は、参照することによりここに援用される。
【００１６】
上述の如く、第五世代移動通信システムにおける議論はまだ開始されたばかりである。そのため、例えば、拡張モバイルブロードバンド（ｅＭＢＢ）を実現する上で生じ得るＢＳＲの実装上の課題については、議論があまり進んでいないのが実情である。
【００１７】
本発明の発明者らは、第五世代移動通信システムを実現する上で生じ得る実装上の困難について、独自の検討の結果、第五世代移動通信システムの一側面において、データ転送レートが従前に比べ飛躍的に向上することで、超高速大容量伝送サービスの利用を想定した無線端末（以下、端末、ユーザ端末、User Equipmentとも称され得る）におけるアップリンクデータの発生頻度も著しく高速化し得ることを見出した。例えば、無線端末に関連付けられたセンサなどの各種デバイスからのデータが頻繁に生成されて送信バッファに格納されることが想定され得る。しかし、アップリンク無線リソースの割当てタイミングが到来するまでは、無線端末の送信バッファにアップリンクデータが滞留することとなり、無線端末の送信バッファに滞留する未送信のアップリンクデータの量（バッファ値、バッファサイズ、data available for transmission, data volumeとも称され得る）が著しく増加し得る。そして、アップリンク無線リソースの割当てタイミングに従ってアップリンクデータが送信されることで、バッファ量は減少し得る。
【００１８】
この様に、第五世代移動通信システムの一側面では、無線端末の送信バッファに滞留するアップリンクデータの量（バッファ値、バッファサイズ、data available for transmission, data volumeとも称され得る）が激しく増減し得る。そのため、ＢＳＲインデックステーブルに規定される各インデックス値（ＢＳＲインデックスとも称され得る）に対応付けられたバッファ値の粒度が、第四世代移動通信システムと同程度の粗さであるとすれば、無線基地局（以下、基地局、gNBとも称され得る）での無線端末のバッファサイズの推定値（バッファ推定値と称されてもよい）の精度が低下する、という事情が生じ得る。別言すると、無線基地局でのバッファ推定値と、無線端末での実際のバッファサイズとの差が大きくなり、最適なアップリンクスケジューリングの実現が困難となる。
【００１９】
例えば、第四世代移動通信システムでは、６ビットのＢＳＲインデックス（すなわち、２＾６＝６４個のＢＳＲインデックス）のうち１番目から６３番目のＢＳＲインデックスにより、０ｂｙｔｅから１５００００ｂｙｔｅ（＝１５０ＫＢｙｔｅ）までの範囲のバッファ値が、６３段階で表現される（例えば、3GPP TS36.321 V14.3.0 - Table 6.1.3.1-1参照）。そして、最後のＢＳＲインデックス（すなわち６４番目のＢＳＲインデックス）は、上述の範囲の最大値である１５００００ｂｙｔｅを超過するバッファ値であることを示す。仮に、第五世代移動通信システムにおいても、このような粒度のＢＳＲインデックスを踏襲するとすれば、例えば、拡張モバイルブロードバンド（ｅＭＢＢ）の利用により無線端末のバッファ値が最大値である１５００００ｂｙｔｅを超過しやすくなる。その結果、バッファ状態報告では、６４番目のＢＳＲインデックスが多用されることになる。
【００２０】
しかし、従来の６４番目のＢＳＲインデックス「６３」は、ＢＳＲインデックステーブルにおいて規定されるバッファの最大値（１５００００ｂｙｔｅ）をバッファ値ＢＳが超過していることを示すのみで、どの程度超過しているのかを示す術を有さない。そのため、最大値を超過しているという著しく粒度の粗いＢＳＲ状態報告により、無線基地局におけるバッファ推定値の精度が著しく低下する。
【００２１】
この事情に対処するため、単純に、ＢＳＲインデックスに対応付けるバッファ値の最大値を大きくしたとしても、各ＢＳＲインデックスに対応付けるバッファ値の粒度が粗くなり、最適なアップリンクスケジューリングの実現が困難となり得る。
【００２２】
また、各ＢＳＲインデックスに対応付けるバッファ値の粒度を小さくするために、単純に、ＢＳＲインデックスのビット数を大きくした場合、バッファ状態報告の伝送効率が低下するという新たな事情が生じ得る。したがって、バッファ状態報告の伝送効率の観点から、第五世代移動通信システムにおけるＢＳＲインデックスのビット数を拡張し得る余地には、ある程度の限界がある。
【００２３】
以上の事情から、ＢＳＲインデックスに対応付けるバッファ値の最大値を増加させる余地には、ある程度の限界がある。そのため、第五世代移動通信システムにおける無線端末のバッファ値が最大値を超えることは少なくないと想定される。そして、バッファ値が最大値を超える場合、著しく粒度の粗いバッファ値を示すＢＳＲインデックスが用いられることで、無線基地局における端末のバッファ推定値の精度が低下する。
【００２４】
この様に、粒度の粗いＢＳＲ状態報告により、無線基地局による無線端末のバッファ推定値に関する推定精度が低下することで、最適なアップリンクスケジューリングの実現が困難となる。そのため、従来のＢＳＲ伝送方式を踏襲したのでは、第五世代移動通信システムにおけるアップリンクの超高速大容量伝送サービスの性能が低下し得ることが懸念される。
【００２５】
本開示の一側面によれば、無線端末の送信バッファに滞留する未送信のアップリンクデータの量が激しく増減し得る場合でも、無線基地局におけるバッファ推定が無線端末のバッファ状態の変動に追従し得る、新たなＢＳＲ伝送技術が提供される。なお、上述の事情は、第五世代移動通信システムを一側面から検討した場合に見出し得るものであり、他の側面から検討した場合には、他の事情が見出され得ることに留意されたい。別言すると、本発明の特徴点及び利点は、上述の事情を解決する用途に限定されるものではなく、以下に開示する実施形態の全体を通じて把握され得る。
【００２６】
以下に示す実施形態の構成は、本発明の技術思想を具体化するための一例を示したものであり、本発明をこの実施形態の構成に限定することを意図するものではなく、特許請求の範囲に含まれるその他の実施形態にも等しく適用し得るものである。例えば、ＢＳＲなどの種々の名称については、今後の第五世代移動通信システムの仕様策定において、名称が変更され得ることも考えられる。また、第五世代移動通信システム以降の移動通信システムについても、各名称が変更され得ることも考えられる。以下の開示では、無線端末の送信バッファの状態報告の一例として、ＭＡＣ（Medium Access Control）レイヤにおける処理の例を用いるが、これに限定する意図ではないことに留意されたい。
【００２７】
実施例１に係る無線通信システム１では、無線端末のバッファに格納された未送信のアップリンクデータのサイズ（バッファ値とも称される）を無線基地局に通知するバッファ状態報告（ＢＳＲ）の伝送シーケンスにおいて、無線端末のバッファ値に応じて、ＢＳＲインデックス値を格納するための第一フィールドとは別に、新たに第二フィールドがＢＳＲに追加される。これにより、バッファ状態報告の第一フィールドと第二フィールドとを用いて、無線端末のバッファ値を精度よく無線基地局へ通知することができる。
【００２８】
図１は、実施例１に係る無線通信システム１におけるＢＳＲ伝送のシーケンスの一例を示す図である。図１に示されるように、無線通信システム１は、無線端末１０と無線基地局２０とを有する。
【００２９】
無線端末１０は、無線基地局２０へ送信すべきアップリンクデータが生じた場合、無線基地局２０に対してアップリンクの無線リソースの割当てを要求する信号（ＳＲ信号：Scheduling Request）を送信する（Ｓ１）。
【００３０】
無線基地局２０は、無線端末１０からの要求（ＳＲ信号）を受けて、例えば、割り当て可能な無線リソースがあるか否かを確認し、優先的に無線リソースを割り当てるべき他の端末が存在しなければ、ＳＲ信号の送信元の端末１０に対して無線リソースを割当ててもよい。無線基地局２０は、無線端末１０に対して割当てた無線リソースを示すアップリンク許可（UL Grant、UL Scheduling Grantとも称される）を、無線端末１０に送信する（Ｓ２）。なお、無線基地局２０は、必ずしもアップリンク許可を送信するとは限らない。
【００３１】
無線端末１０は、無線基地局２０からのアップリンク許可を受けた後、アップリンク許可に示される無線リソースを用いて、最新のバッファ状態報告（ＢＳＲ）を無線基地局２０へ送信する（Ｓ３）。なお、ＢＳＲの送信契機は、種々のタイミングが挙げられる。上述の様に、基地局２０からの設定情報により指定された送信周期に基づいてＢＳＲ伝送シーケンスを実行してもよい。あるいは、ある時点を起点とした所定時間内に所定イベントが検知されなかった場合にＢＳＲ伝送シーケンスを実行してもよい。
【００３２】
実施例１に係るバッファ状態報告（ＢＳＲ）は、送信バッファに格納された未送信のアップリンクデータのサイズ（バッファ値）に対応するＢＳＲインデックスを格納するための第一フィールドを含む。さらに、バッファ状態報告（ＢＳＲ）は、第一フィールドに格納されるＢＳＲインデックスが所定の第一インデックス値である場合、追加インデックス値を格納するための第二フィールドを含む。追加ＢＳＲインデックスは、第一フィールドに格納されるＢＳＲインデックスとともにバッファ値を示すように設定される。別言すると、第一フィールドに格納されるＢＳＲインデックスが所定の第一インデックス値である場合、ＢＳＲインデックス（第一ＢＳＲインデックスと称されてもよい）と追加ＢＳＲインデックス（第二ＢＳＲインデックスと称されてもよい）とにより、無線端末のバッファ値が無線基地局に通知される。
【００３３】
Ｓ３において、無線端末１０は、送信バッファに滞留している未送信のアップリンクデータの量（バッファ値）を取得し、ＢＳＲインデックステーブルに従って、バッファ値をＢＳＲインデックスに変換してもよい。
【００３４】
図２は、実施例１に係るＢＳＲインデックステーブルの一例を示す図である。図２に示すＢＳＲインデックステーブルは、０ｂｙｔｅから３００００００ｂｙｔｅ（＝３Ｍｂｙｔｅ＝３０００Ｋｂｙｔｅ）までの区間を、６３段階の範囲に分割し、各範囲に対して６３個のＢＳＲインデックス（すなわち、０から６２）が関連付けられている。例えば、インデックス値が「６２」のＢＳＲインデックスに対して、範囲「２４３９６７８＜ＢＳ＜＝３００００００」が関連付けられている。範囲「２４３９６７８＜ＢＳ＜＝３００００００」に属するバッファ値ＢＳは、２４３９６７８ｂｙｔｅより大きく、かつ、３００００００ｂｙｔｅ以下という範囲における何れかの値である。最後のＢＳＲインデックス（すなわち、６３）は、ＢＳＲインデックステーブルにおいて規定されるバッファの最大値（バッファ最大値と称されてもよい）を超過するバッファ値ＢＳを意味する。図２の例において、ＢＳＲインデックステーブルに規定されるバッファ最大値は「３００００００ｂｙｔｅ」である。なお、図２に示すＢＳＲインデックステーブルの各値は、一例であって、本実施例はこれらの値に限定されるものではない。
【００３５】
実施例１に係る無線通信システム１における無線端末１０および無線基地局２０は、図２に例示するようなＢＳＲインデックステーブルを有するものとする。
【００３６】
図３は、実施例１に係るバッファ状態報告（ＢＳＲ）の一例を示す図である。図３に示すバッファ状態報告（ＢＳＲ）は、一以上の論理チャネルグループ（ＬＣＧ：Logical Channel Group）毎に、バッファ値を示すＢＳＲインデックスを格納する。図３の例では、バッファ状態報告（ＢＳＲ）は、一以上のＬＣＧの何れかに対応するＢＳＲインデックスを格納するための一以上の第一フィールドを含む。
【００３７】
図３の例において、バッファ状態報告（ＢＳＲ）は、ＬＣＧ［０］とＬＣＧ［１］とＬＣＧ［２］との３個のＬＣＧについて、ＢＳＲインデックスを格納するための第一フィールドを含む複数のフィールドを有する。すなわち、図３のバッファ状態報告（ＢＳＲ）は、各ＬＣＧのバッファ値を示す情報を格納するためのフィールドとして、ＢｕｆｆｅｒＳｉｚｅ［１］からＢｕｆｆｅｒＳｉｚｅ［４］までの４個のフィールドを有する。さらに別言すると、図３のバッファ状態報告（ＢＳＲ）は、３個のＬＣＧ（ＬＣＧ［０］、ＬＣＧ［１］、ＬＣＧ［２］）について、３個の第一フィールドと、１個の第二フィールドとの合計４個のフィールド（ＢｕｆｆｅｒＳｉｚｅ［１］〜［４］）が格納されている。なお、本実施例に係るバッファ状態報告（ＢＳＲ）に含まれるフィールド（第一フィールド、第二フィールド）の個数はこれらに限定されるものではなく、可変であってもよい。
【００３８】
例えば、ヘッダ部Ｔ１０１で第一フィールの存在が示された一以上のＬＣＧに対して、ＬＣＧ番号の昇順に第一フィールを割当ててもよい。例えば、一番目のＬＣＧ［０］に対して、そのバッファ値に対応するＢＳＲインデックスを格納するための第一フィールドとして、ＢｕｆｆｅｒＳｉｚｅ［１］が用いられてもよい。図３の例では、ＬＣＧ［０］の第一フィールドとしてのＢｕｆｆｅｒＳｉｚｅ［１］には、値「１１１１１０」が格納されている。これは２進数で表現した値であり、１０進数に変換すると「６２」である。図２に示すＢＳＲインデックステーブルによれば、ＢＳＲインデックス「６２」は、バッファ値が２４３９６７８ｂｙｔｅを超え、かつ、バッファ値が３００００００ｂｙｔｅ以下である、ことを意味する。
【００３９】
二番目のＬＣＧ［１］のバッファ値に対応するＢＳＲインデックスを格納するための第一フィールドとして、ＢｕｆｆｅｒＳｉｚｅ［２］が用いられてもよい。図３の例では、ＬＣＧ［１］の第一フィールドとしてのＢｕｆｆｅｒＳｉｚｅ［２］には、値「１１１１１１」が格納されている。これは２進数で表現した値であり、１０進数に変換すると「６３」である。図２に示すＢＳＲインデックステーブルによれば、ＢＳＲインデックス「６３」は、バッファ値がＢＳＲインデックステーブルに規定されるバッファの最大値（３００００００ｂｙｔｅ）を超えていることを意味する。
【００４０】
そのため、ＢＳＲインデックスが、バッファ最大値を超えたバッファ値を示す値（例えば「６３」）（第一インデックス値と称されてもよい）に該当する場合、追加インデックス値（第二ＢＳＲインデックスと称されてもよい）を格納するための第二フィールドが割当てられる。図３の例では、ＬＣＧ［１］の第一フィールド（ＢｕｆｆｅｒＳｉｚｅ［２］）に格納されるＢＳＲインデックスが第一インデクス値に該当する為、追加インデックスを格納するための第二フィールドとして、ＢｕｆｆｅｒＳｉｚｅ［３］がＬＣＧ［１］に対して割当てられる。
【００４１】
ＬＣＧ［１］の第二フィールドとしてのＢｕｆｆｅｒＳｉｚｅ［３］には、値「１１１１１０」が格納されている。これは２進数で表現した値であり、１０進数に変換すると「６２」である。図２に示すＢＳＲインデックステーブルによれば、ＢＳＲインデックス「６２」は、バッファ値が２４３９６７８ｂｙｔｅを超え、かつ、バッファ値が３００００００ｂｙｔｅ以下である、ことを意味する。
【００４２】
図３におけるバッファ状態報告（ＢＳＲ）の例によれば、ＬＣＧ［１］に対して、第一フィールドとしてのＢｕｆｆｅｒＳｉｚｅ［２］と、第二フィールドとしてのＢｕｆｆｅｒＳｉｚｅ［３］とが割当てられており、これら第一フィールドと第二フィールドとにより、ＢＳＲインデックステーブルに規定されるバッファの最大値（バッファ最大値と称されてもよい）を超えるバッファ値を、無線基地局２０に伝えることができる。図３の例では、第一フィールドに格納されるＢＳＲインデックス（第一ＢＳＲインデックスと称されてもよい）により無線端末１０のバッファ値ＢＳが３００００００ｂｙｔｅを超えることが示され、第二フィールドに格納される追加ＢＳＲインデックス（第二ＢＳＲインデックスと称されてもよい）により超過分のバッファ値ＢＳ２が２４３９６７８ｂｙｔｅ＜ＢＳ２＜＝３００００００ｂｙｔｅの範囲にあることが示される。すなわち、ＬＣＧ［１］のバッファ値ＢＳは、超過分のバッファ値ＢＳ２に最大値（３００００００ｂｙｔｅ）を加算した値で示され、５４３９６７８ｂｙｔｅ＜ＢＳ＜＝６００００００ｂｙｔｅの範囲にあることがわかる。
【００４３】
最後の３番目のＬＣＧ［２］に対する第一フィールドとして、ＢｕｆｆｅｒＳｉｚｅ［４］が用いられてもよい。図３の例では、ＬＣＧ［２］の第一フィールドとしてのＢｕｆｆｅｒＳｉｚｅ［４］には、値「１１１１１０」が格納されている。これは２進数で表現した値であり、１０進数に変換すると「６２」である。図２に示すＢＳＲインデックステーブルによれば、ＢＳＲインデックス「６２」は、無線端末１０のバッファ値ＢＳが２４３９６７８ｂｙｔｅを超え、かつ、バッファ値ＢＳが３００００００ｂｙｔｅ以下である、ことを意味する。
【００４４】
無線端末１０からのバッファ状態報告（ＢＳＲ）を受信した無線基地局２０は、ＢＳＲのヘッダ部Ｔ１０１を参照することで、どのＬＣＧについてＢＳＲインデックスが格納されているかを知ることができる。別言すると、無線基地局２０は、ＢＳＲのヘッダ部Ｔ１０１に基づいて、ＢＳＲのボディ部Ｔ１０２に含まれる第一フィールドの個数を知ることができる。
【００４５】
無線基地局２０は、各ＬＣＧに対応付けられた第一フィールドからＢＳＲインデックスを取得し、図２に示すＢＳＲインデックステーブルに従って、ＢＳＲインデックスをバッファ値に変換することで、無線端末１０のＬＣＧ毎のバッファ値の推定値（バッファ推定値と称されてもよい）を取得することができる。
【００４６】
また、無線基地局２０は、第一フィールドから取得したＢＳＲインデックスが第一インデックス値（例えば、ＢＳＲインデックステーブルの最大値（３００００００ｂｙｔｅ））に該当する場合、無線端末２０から受信したバッファ状態報告（ＢＳＲ）から、当該第一フィールドに対応付けられたＬＣＧに対する第二フィールドを取得する。そして、無線基地局２０は、ＢＳＲインデックステーブルに従って、第二フィールドに格納された第二ＢＳＲインデックス（追加ＢＳＲインデックス、拡張ＢＳＲインデックスと称されてもよい）をバッファ値に変換することで、当該ＬＣＧの超過バッファ量を知ることができる。
【００４７】
無線基地局２０は、無線端末１０からの最新のＢＳＲに基づいて無線端末１０のバッファ推定値を更新することで、どの無線端末１０（あるいは、無線端末１０のどのＬＣＧ）がどれくらいの無線リソースを必要とするかを把握し、適切なスケジューリングを行うことが期待される。無線基地局２０は、最新のバッファ推定値などに基づき、無線リソースのスケジューリングを行う。その結果、無線端末１０に対して無線リソースを割当てた場合、アップリンク許可（ＵＬｇｒａｎｔ）信号を送信する（Ｓ４）。
【００４８】
Ｓ４において、無線基地局２０は、無線端末１０のＬＣＧ毎に無線リソースの割当量を示すアップリンク許可信号を送信してもよい。アップリンク許可信号は、一以上のＬＣＧの各々について、無線リソースの割当量を示す情報を含んでもよい。
【００４９】
無線端末１０は、無線基地局２０からのアップリンク許可を受けて、割当てられたデータ量（割当量とも称される）に応じたサイズのデータ（ＵＬ（Uplink）データとも称される）を送信バッファから取り出し、割当てられた無線リソースを用いてデータを基地局２０に送信する（Ｓ５）。
【００５０】
実施例１に係るＢＳＲ伝送シーケンスにおいて、ＢＳＲで通知するバッファ値が、ＢＳＲインデックステーブルの最大値（例えば、３００００００ｂｙｔｅ）を超える場合であっても、第一フィールドと第二フィールドとの両方を用いて、バッファ値を通知することにより、無線基地局２０は、正確なバッファ値を推定することができる。
【００５１】
つぎに、実施例１に係るＢＳＲ伝送シーケンスにおける無線端末１０の処理の流れの一例を説明する。
【００５２】
図４は、実施例１に係るＢＳＲ伝送シーケンスにおける無線端末１０の処理の流れの一例を示す図である。図４に例示する処理の流れは、例えば、無線端末１０がＬＣＧ単位のＢＳＲインデックスを取得する際に実行されてもよい。別言すると、複数のＬＣＧについてＢＳＲインデックスを取得しようとする場合、無線端末１０は、図４に例示される処理をＬＣＧ毎に実行してもよい。なお、説明の便宜上、図４に例示される処理を無線端末１０が実行するものとして説明するが、無線端末１０は、処理の実行主体として一以上のプロセッサ回路を備えてもよい。
【００５３】
まず、無線端末１０は、現在のバッファ値ＢＳをＢＳＲインデックスに変換する（Ｓ１０１）。Ｓ１０１において、無線端末１０は、処理対象のＬＣＧに属する論理チャネル（ＬＣ：Logical Channel）の送信バッファに滞留する未送信のアップリンクデータのサイズ（バッファ値、バッファサイズ値、ＢＳ値と称されてもよい）を取得し、ＢＳＲインデックステーブルに従って、ＢＳ値からＢＳＲインデックスに変換してもよい。Ｓ１０１において、無線端末１０は、処理対象のＬＣＧに属する論理チャネルが複数存在する場合、各論理チャネルのバッファ値を合計した値をＢＳ値としてもよい。
【００５４】
無線端末１０は、Ｓ１０１で取得したＢＳＲインデックス（第一ＢＳＲインデックスと称されてもよい）を、処理対象のＬＣＧに対応する第一フィールドに格納する（Ｓ１０２）。
【００５５】
無線端末１０は、Ｓ１０１で取得したＢＳＲインデックスが、第一インデックス値に該当するかを判定する（Ｓ１０３）。実施例１に係る第一インデックス値は、例えば、ＢＳＲインデックステーブルにおける最後のＢＳＲインデックスに相当する。図２の例において、最後のＢＳＲインデックスは、ＢＳＲインデックステーブルに規定されるバッファの最大値（３００００００ｂｙｔｅ）をバッファ値ＢＳが超過することを意味するＢＳＲインデックス「６３」に相当する。ＢＳＲインデックスが６桁の二進数で表現される場合、第一インデックス値「６３」は、６桁の全が「１」となるビット列で表現される。
【００５６】
Ｓ１０３において、無線端末１０は、Ｓ１０１で取得したＢＳＲインデックスが第一インデックスに一致する場合、ＢＳＲインデックスが第一インデックス値に該当すると判定してもよい（Ｓ１０３でＹＥＳ）。一方、Ｓ１０３において、無線端末１０は、Ｓ１０１で取得したＢＳＲインデックスが第一インデックス値と一致しない場合、ＢＳＲインデックスが第一インデックス値に該当しないと判定してもよい（Ｓ１０３でＮＯ）。
【００５７】
無線端末１０は、ＢＳＲインデックスが第一インデックス値に該当すると判定した場合（Ｓ１０３でＹＥＳ）、追加ＢＳＲインデックス（第二ＢＳＲインデックスと称されてもよい）を取得する（Ｓ１０４）。Ｓ１０４において、無線端末１０は、ＢＳＲインデックステーブルに規定されるバッファ最大値（例えば３００００００ｂｙｔｅ）を、バッファ値ＢＳから減算することで、バッファ最大値を超過するバッファの量に相当する超過バッファ値ＢＳ２を取得してもよい。例えば、バッファ値ＢＳが「６００００００ｂｙｔｅ」の場合、超過バッファ値ＢＳ２は「３００００００ｂｙｔｅ」（＝６００００００ｂｙｔｅ−３０００ｂｙｔｅ）である。
【００５８】
そして、Ｓ１０４において、無線端末１０は、ＢＳＲインデックステーブルに従って、超過バッファ値ＢＳ２に対応するＢＳＲインデックスを選択することで、追加ＢＳＲインデックスを取得してもよい。例えば、超過バッファ値ＢＳ２が「３００００００ｂｙｔｅ」の場合、図２に例示されるＢＳＲインデックステーブルによれば、超過バッファ値ＢＳ２に対応する追加ＢＳＲは「６２」である。
【００５９】
無線端末１０は、Ｓ１０４を実行した場合、処理対象のＬＣＧに対応する第二フィールドに、追加ＢＳＲインデックスを格納する（Ｓ１０５）。
【００６０】
一方、Ｓ１０３において、ＢＳＲインデックス（第一ＢＳＲインデックスと称されてもよい）が第一インデックス値に該当しないと判定した場合（Ｓ１０３でＮＯ）、無線端末１０は、処理対象のＬＣＧについて第二フィールドを割当てることなく、Ｓ１０４およびＳ１０５をスキップしてもよい。
【００６１】
以上が、実施例１に係るＢＳＲ伝送シーケンスにおける無線端末１０の処理の流れの一例である。つぎに、無線基地局２０の処理の流れについて説明する。
【００６２】
図５は、実施例１に係るＢＳＲ伝送シーケンスにおける無線基地局２０の処理の流れの一例を示す図である。図５に例示する処理の流れは、例えば、無線基地局２０が、無線端末１０から受信したＢＳＲから、ＬＣＧ単位の第一フィールドを参照する際に実行されてもよい。別言すると、無線端末１０から受信したＢＳＲに複数のＬＣＧの各々について一以上のフィールドが含まれている場合、無線端末１０は、図５に例示される処理をＬＣＧ毎に実行してもよい。なお、説明の便宜上、図５に例示される処理を無線基地局２０が実行するものとして説明するが、無線基地局２０は、処理の実行主体として一以上のプロセッサ回路を備えてもよい。
【００６３】
まず、無線基地局２０は、無線端末１０から受信したＢＳＲの第一フィールドからＢＳＲインデックスを取得する（Ｓ２０１）。Ｓ２０１において、無線基地局２０は、無線端末１０から受信したＢＳＲに複数の第一フィールドが含まれる場合、ＢＳＲに含まれる第一フィールドのうち、処理対象のＬＣＧに対応付けられた第一フィールドから、ＢＳＲインデックスを取得してもよい。
【００６４】
無線基地局２０は、ＢＳＲインデックステーブルに従って、Ｓ２０１で取得したＢＳＲインデックス（第一ＢＳＲインデックスと称されてもよい）をバッファ値ＢＳ１に変換する（Ｓ２０２）。例えば、ＢＳＲインデックスが「６２」である場合、図２に例示するＢＳＲインデックステーブルによれば、ＢＳＲインデックスに対応するバッファ値ＢＳ１は「２４３９６７８ｂｙｔｅ＜ＢＳ１＜＝３００００００ｂｙｔｅ」の範囲である。
【００６５】
無線基地局２０は、処理Ｓ２０１で取得したＢＳＲインデックスが、第一インデックス値に該当するかを判定する（Ｓ２０３）。ここで、第一インデックス値は、無線端末１０における第一インデックス値と同様である。すなわち、実施例１に係る第一インデックス値は、例えば、ＢＳＲインデックステーブルにおける最後のＢＳＲインデックスに相当する。図２の例において、最後のＢＳＲインデックスは、ＢＳＲインデックステーブルに規定されるバッファの最大値（３００００００ｂｙｔｅ）をバッファ値ＢＳ１が超過することを意味するＢＳＲインデックス「６３」に相当する。ＢＳＲインデックスが６桁の二進数で表現される場合、第一インデックス値「６３」は、６桁の全が「１」となるビット列で表現される。
【００６６】
Ｓ２０３において、無線基地局２０は、Ｓ２０１で取得したＢＳＲインデックスが第一インデックス値と一致する場合、ＢＳＲインデックスが第一インデックス値に該当すると判定してもよい（Ｓ２０３でＹＥＳ）。一方、Ｓ２０３において、無線基地局２０は、Ｓ２０１で取得したＢＳＲインデックスが第一インデックス値と一致しない場合、ＢＳＲインデックスが第一インデックス値に該当しないと判定してもよい（Ｓ２０３でＮＯ）。
【００６７】
無線基地局２０は、ＢＳＲインデックスが第一インデックス値に該当すると判定した場合（Ｓ２０３でＹＥＳ）、無線端末１０から受信したＢＳＲの第二フィールドから、追加ＢＳＲインデックス（第二ＢＳＲインデックスと称されてもよい）を取得する（Ｓ２０４）。Ｓ２０４において、無線端末１０から受信したＢＳＲに複数の第二フィールドが含まれている場合、処理対象のＬＣＧに対応付けられている第二フィールドから、追加ＢＳＲインデックスを取得してもよい。
【００６８】
無線基地局２０は、Ｓ２０４で取得した追加ＢＳＲインデックスを、ＢＳＲインデックステーブルに従って、第二バッファ値ＢＳ２に変換する（Ｓ２０５）。例えば、追加ＢＳＲインデックスが「６２」である場合、図２に例示するＢＳＲインデックステーブルによれば、追加ＢＳＲインデックスに対応する第二バッファ値ＢＳ２は「２４３９６７８ｂｙｔｅ＜ＢＳ２＜＝３００００００」の範囲である。
【００６９】
無線基地局２０は、Ｓ２０５で取得した第二バッファ値ＢＳ２と、Ｓ２０２で取得したバッファ値ＢＳ１とに基づいて、無線端末１０のバッファ推定値ＢＳを取得する（Ｓ２０６）。ここで、Ｓ２０２で取得したバッファ値ＢＳ１は、ＢＳＲインデックスが第一インデクス値に該当するため、ＢＳＲインデックステーブルに規定されるバッファの最大値に相当する。すなわち、図２に例示されるＢＳＲインデックステーブルによれば、バッファの最大値は「３００００００ｂｙｔｅ」であるため、Ｓ２０６におけるバッファ値ＢＳ１は「３００００００ｂｙｔｅ」である。
【００７０】
Ｓ２０６において、無線基地局２０は、例えば、Ｓ２０５で取得した第二バッファ値ＢＳ２に、Ｓ２０２で取得したバッファ値ＢＳ１（例えば「３００００００ｂｙｔｅ」）を加算することで、無線端末１０のバッファ推定値を取得してもよい。例えば、第二バッファ値ＢＳ２が「２４３９６７８ｂｙｔｅ＜ＢＳ２＜＝３００００００」の範囲である場合、無線基地局２０は、第二バッファ値ＢＳ２の範囲を規定する上限値と下限値との各々にバッファ値ＢＳ１「３００００００ｂｙｔｅ」を加算することで、バッファ推定値ＢＳとして、「５４３９６７８ｂｙｔｅ＜ＢＳ＜＝６００００００」の範囲を取得してもよい。
【００７１】
一方、Ｓ２０３において、ＢＳＲインデックスが第一インデクス値に該当しないと判定した場合（Ｓ２０３でＮＯ）、無線基地局２０は、Ｓ２０４ないしＳ２０６をスキップして、Ｓ２０２で取得したバッファ値ＢＳ１を、無線端末１０のバッファ推定値ＢＳとしてもよい。
【００７２】
以上が、実施例１に係るＢＳＲ伝送シーケンスにおける無線基地局２０の処理の流れの一例である。
【００７３】
以上に開示される実施例１の一側面によれば、無線端末１０のバッファに格納された未送信のアップリンクデータのサイズ（バッファ値とも称される）を通知するバッファ状態報告（ＢＳＲ）に、無線端末１０のバッファ値に応じて、ＢＳＲインデックス値を格納するための第一フィールドとは別に、新たに第二フィールドが追加される。これにより、無線端末１０は、バッファ状態報告（ＢＳＲ）の第一フィールドと第二フィールドとを用いて、無線端末１０のバッファ値を精度よく無線基地局２０へ通知することができる。この様な作用は、第五世代移動通信システムにおけるアップリンクの超高速大容量伝送サービスの性能を維持向上させるうえで有用である。
【００７４】
以上に開示される実施例１の他の一側面によれば、バッファ状態報告（ＢＳＲ）の第一フィールドに格納されるＢＳＲインデックスが第一インデックス値に該当する場合、無線端末１０のバッファ値がＢＳＲインデックステーブルにおけるバッファ最大値をどの程度超過するかを示す追加ＢＳＲインデックスを格納するための第二フィールドが、ＢＳＲに追加される。これにより、無線基地局２０は、ＢＳＲの第一フィールドと第二フィールドとに格納された値を用いて、無線端末１０のバッファ値を精度よく推定することができる。この様な作用は、第五世代移動通信システムにおけるアップリンクの超高速大容量伝送サービスの性能を維持向上させるうえで有用である。
【００７５】
以上に開示される実施例１のさらなる他の一側面によれば、バッファ状態報告（ＢＳＲ）の第二フィールドに格納される追加ＢＳＲは、無線端末１０のバッファ値のうちＢＳＲインデックステーブルにおけるバッファ最大値を超過するバッファ値（超過バッファ値と称されてもよい）に対応する。これにより、無線基地局２０は、ＢＳＲの第一フィールドと第二フィールドとに格納された値を用いて、無線端末１０のバッファ値を精度よく推定することができる。この様な作用は、第五世代移動通信システムにおけるアップリンクの超高速大容量伝送サービスの性能を維持向上させるうえで有用である。
【００７６】
＜実施例２＞  実施例２に係る無線通信システム１では、バッファ状態情報に含まれる第一フィールドに格納されるＢＳＲインデックスが第一インデックス値に該当する場合、新たに追加される第二フィールドには、所定の係数（ＢＳＲ係数と称されてもよい）が関係づけられた追加ＢＳＲインデックス（追加インデックス値と称されてもよい）が格納される。この場合、第一フィールドのＢＳＲインデックスに対応するバッファ値と、第二フィールドの追加ＢＳＲインデックスに対応するＢＳＲ係数との乗算結果により、無線端末１０のバッファ値が示される。これにより、ＢＳＲの第一フィールドと第二フィールドとを用いて無線端末１０のバッファ値を示すため、無線基地局２０は無線端末１０のバッファ値を精度よく推定することができる。
【００７７】
図６は、実施例２に係るＢＳＲインデックステーブルの一例を示す図である。実施例２に係るＢＳＲインデックステーブルでは、ＢＳＲインデックステーブルに規定される一以上のＢＳＲインデックスの一部に、所定の係数（ＢＳＲ係数と称されてもよい）が関係づけられている。図６に例示するＢＳＲインデックステーブルでは、「０」から「２５５」までの２５６個のＢＳＲインデックスのうち、「２５２」から「２５５」までの４個のＢＳＲインデックスに、ＢＳＲ係数として、「ｘ１．５」（倍率１．５を意味する）、「ｘ２．０」（倍率２．０を意味する）、「ｘ２．５」（倍率２．５を意味する）、「ｘ３．０」（倍率３．０を意味する）が関係づけられている。
【００７８】
また、図６に例示するＢＳＲインデックステーブルでは、「０」から「２５１」までの２５２個のＢＳＲインデックスに、バッファ値が関係づけられている。すなわち、「０」から「２５０」までの２５１個のＢＳＲインデックスの各々に、「０ｂｙｔｅ」から「９６００００００ｂｙｔｅ」までの区間を２５１段階に分割した小区間が対応付けられている。「０」から「２５１」までの２５２個のＢＳＲインデックスのうち、最後のＢＳＲインデックス「２５１」には、ＢＳＲインデックステーブルで規定されるバッファの最大値「９６００００００ｂｙｔｅ」を超過するバッファ値である、という状態が対応付けられている。
【００７９】
なお、図６の例では、図２に示す実施例１に係るＢＳＲインデックステーブルの例と比較して、ＢＳＲインデックスの個数が２５６個に拡張されている。別言すると、ＢＳＲインデックスのビット長が８ビット（８ケタのビット列）に拡張されている。また、図６の例では、ＢＳＲインデックステーブルに規定さるバッファの最大値が９６００００００ｂｙｔｅに拡張されている。しかし、実施例２の趣旨は、これら具体的な値に限定されるものではないことに留意されたい。
【００８０】
実施例２に係る無線通信システム１における無線端末１０および無線基地局２０は、図６に例示するようなＢＳＲインデックステーブルを有するものとする。
【００８１】
図７は、実施例２に係るバッファ状態報告の一例を示す図である。図７に示すバッファ状態報告（ＢＳＲ）は、図３の例と同様に、一以上の論理チャネルグループ（ＬＣＧ：Logical Channel Group）毎に、バッファ値を示すＢＳＲインデックスを格納する。図７の例でも、バッファ状態報告（ＢＳＲ）は、一以上のＬＣＧの各々についてＢＳＲインデックスを格納するための第一フィールドの有無を示すヘッダ部Ｔ１０１Ａと、一以上のＬＣＧの何れかに対応する第一フィールドが含まれるボディ部Ｔ１０２Ａとを有する。
【００８２】
図７に示すヘッダ部Ｔ１０１Ａには、ＬＣＧ［０］からＬＣＧ［７］までの８個のＬＣＧについて、ボディ部Ｔ１０２Ａに第一フィールドがあるか（すなわち「１」）、ボディ部Ｔ１０２Ａに第一フィールドが無いか（すなわち「０」）を示す値が設定されている。図７の例では、ＬＣＧ［４］とＬＣＧ［１］とＬＣＧ［０］について、ボディ部Ｔ１０２Ａに第一フィールドが存在することが示されている。
【００８３】
図７に示すボディ部Ｔ１０２Ａは、ヘッダ部Ｔ１０１Ａで第一フィールドの存在が示されたＬＣＧ［４］とＬＣＧ［１］とＬＣＧ［０］について、各ＬＣＧのバッファ値を示す情報を格納するためのフィールドとして、ＢｕｆｆｅｒＳｉｚｅ［１］からＢｕｆｆｅｒＳｉｚｅ［４］までの４個のフィールドを有する。すなわち、図７の例では、３個のＬＣＧ（ＬＣＧ［４］、ＬＣＧ［１］、ＬＣＧ［０］）に対して、ＢＳＲのボディ部Ｔ１０２Ａに３個の第一フィールドと、１個の第二フィールドが格納されている。なお、本実施例に係るバッファ状態報告（ＢＳＲ）に含まれるフィールド（第一フィールド、第二フィールド）の個数はこれらに限定されるものではなく、可変であってもよい。
【００８４】
例えば、ヘッダ部Ｔ１０１Ａで第一フィールドの存在が示された一以上のＬＣＧに対して、ＬＣＧ番号の昇順に第一フィールドを割当ててもよい。一番目のＬＣＧ［０］に対して、ＬＣＧ［０］のバッファ値に対応するＢＳＲインデックスを格納するための第一フィールドとして、ＢｕｆｆｅｒＳｉｚｅ［１］が用いられてもよい。図７の例では、ＬＣＧ［０］の第一フィールドとしてのＢｕｆｆｅｒＳｉｚｅ［１］には、値「１１１１１０１０」が格納されている。これは２進数で表現した値であり、１０進数に変換すると「２５０」である。図６に示すＢＳＲインデックステーブルによれば、ＢＳＲインデックス「２５０」は、無線端末１０のバッファ値ＢＳが９００８９３２３ｂｙｔｅを超え、かつ、バッファ値ＢＳが９６００００００ｂｙｔｅ以下である、ことを意味する。
【００８５】
二番目のＬＣＧ［１］のバッファ値に対応するＢＳＲインデックスを格納するための第一フィールドとして、ＢｕｆｆｅｒＳｉｚｅ［２］が用いられてもよい。図７の例では、ＬＣＧ［１］の第一フィールドとしてのＢｕｆｆｅｒＳｉｚｅ［２］には、値「１１１１１０１１」が格納されている。これは２進数で表現した値であり、１０進数に変換すると「２５１」である。図６に示すＢＳＲインデックステーブルによれば、ＢＳＲインデックス「２５１」は、バッファ値がＢＳＲインデックスに規定されるバッファの最大値（９６００００００ｂｙｔｅ）を超えていることを意味する。
【００８６】
そのため、ＢＳＲインデクスがバッファ値の最大値超えを示す値（例えば「２５１」、二進数で表現すると「１１１１１０１１」）（第一インデックス値と称されてもよい）に該当する場合、追加インデックス（第二ＢＳＲインデックスと称されてもよい）を格納するための第二フィールドが割当てられる。図７の例では、ＬＣＧ［１］の第一フィールド（ＢｕｆｆｅｒＳｉｚｅ［２］）に格納されるＢＳＲインデックスが第一インデックス値に該当する為、追加インデックスを格納するための第二フィールドとして、ＢｕｆｆｅｒＳｉｚｅ［３］がＬＣＧ［１］に対して割当てられる。
【００８７】
ＬＣＧ［１］の第二フィールドとしてのＢｕｆｆｅｒＳｉｚｅ［３］には、値「１１１１１１０１」が格納されている。これは２進数で表現した値であり、１０進数に変換すると「２５３」である。図６に示すＢＳＲインデックステーブルによれば、ＢＳＲインデックス「２５３」は、ＢＳＲ係数「ｘ２．０」（倍率２．０を意味する）に対応付けられている。
【００８８】
図７におけるバッファ状態報告（ＢＳＲ）の例によれば、ＬＣＧ［１］に対して、第一フィールドとしてのＢｕｆｆｅｒＳｉｚｅ［２］と、第二フィールドとしてのＢｕｆｆｅｒＳｉｚｅ［３］とが割当てられており、これら第一フィールドと第二フィールドとにより、ＢＳＲインデックステーブルに規定されるバッファの最大値（９６００００００ｂｙｔｅ）を超えるバッファ値を、無線基地局２０に伝えることができる。図７の例では、第一フィールドに格納されるＢＳＲインデックス（第一ＢＳＲインデックスと称されてもよい）により無線端末１０のバッファ値ＢＳが９６００００００ｂｙｔｅを超えることが示され、第二フィールドに格納される追加ＢＳＲインデックス（第二ＢＳＲインデックスと称されてもよい）により無線端末１０のバッファ値が９６００００００ｂｙｔｅをどの程度超過するのかが示される。例えば、ＬＣＧ［１］のバッファ値ＢＳは、第一フィールドのＢＳＲインデックスに対応するバッファ値（９６００００００ｂｙｔｅ）に、第二フィールドの追加ＢＳＲインデックスに対応するＢＳＲ係数（２．０）を乗算した結果に基づいて、９６００００００ｂｙｔｅ＜ＢＳ＜＝１９２００００００ｂｙｔｅの範囲にあることが示される。
【００８９】
あるいは、ＢＳＲインデックステーブルにおいてＢＳＲ係数が対応付けられたＢＳＲインデックスのうち、第二フィールドに格納される追加ＢＳＲインデックスよりも一つ小さいＢＳＲインデックスに対応付けられたＢＳＲ係数に基づいて、無線端末１０のバッファ値ＢＳの下限値が示されてもよい。例えば、図７の例では、第二フィールドに格納される追加ＢＳＲインデックスは「２５３」（二進数で表現すると「１１１１１１０１」）である。図６に例示されるＢＳＲインデックステーブルによれば、追加ＢＳＲインデックス「２５３」よりも一つ小さいＢＳＲインデックスは「２５２」であり、ＢＳＲインデックス「２５２」に対応するＢＳＲ係数は「ｘ１．５」である。この例によれば、無線端末１０のバッファ値ＢＳの下限値は、第一フィールドのＢＳＲインデックス「２５１」に対応するバッファ値「９６００００００ｂｙｔｅ」にＢＳＲ係数「ｘ１．５」を乗算した結果に基づき、「１４４００００００ｂｙｔｅ」であることがわかる。したがって、無線端末１０のバッファ値ＢＳは、１４４００００００ｂｙｔｅ＜ＢＳ＜＝１９２００００００ｂｙｔｅの範囲にあることがわかる。
【００９０】
最後の３番目のＬＣＧ［４］に対する第一フィールドとして、ＢｕｆｆｅｒＳｉｚｅ［４］が用いられてもよい。図７の例では、ＬＣＧ［４］の第一フィールドとしてのＢｕｆｆｅｒＳｉｚｅ［４］には、値［１１１１１０１０］が格納されている。これは２進数で表現した値であり、１０進数に変換すると「２５０」である。図６に示すＢＳＲインデックステーブルによれば、ＢＳＲインデックス「２５０」は、無線端末１０のバッファ値ＢＳが９００８９３２３ｂｙｔｅを超え、かつ、バッファ値ＢＳが９６００００００ｂｙｔｅ以下である、ことを意味する。
【００９１】
つぎに、実施例２に係るＢＳＲ伝送シーケンスにおける無線端末１０の処理の流れの一例を説明する。
【００９２】
図８は、実施例２に係るＢＳＲ伝送シーケンスにおける無線端末１０の処理の流れの一例を示す図である。図８に例示する処理の流れは、例えば、無線端末１０がＬＣＧ単位のＢＳＲインデックスを取得する際に実行されてもよい。別言すると、複数のＬＣＧについてＢＳＲインデックスを取得しようとする場合、無線端末１０は、図８に例示される処理をＬＣＧ毎に実行してもよい。なお、説明の便宜上、図８に例示される処理を無線端末１０が実行するものとして説明するが、無線端末１０は、処理の実行主体として一以上のプロセッサ回路を備えてもよい。
【００９３】
まず、無線端末１０は、現在のバッファ値ＢＳをＢＳＲインデックスに変換する（Ｓ１０１）。Ｓ１０１において、無線端末１０は、処理対象のＬＣＧに属する論理チャネル（ＬＣ：Logical Channel）の送信バッファに滞留する未送信のアップリンクデータのサイズ（バッファ値、バッファサイズ値、ＢＳ値と称されてもよい）を取得し、ＢＳＲインデックステーブルに従って、ＢＳ値からＢＳＲインデックスに変換してもよい。Ｓ１０１において、無線端末１０は、処理対象のＬＣＧに属する論理チャネルが複数存在する場合、各論理チャネルのバッファ値を合計した値をＢＳ値としてもよい。
【００９４】
無線端末１０は、Ｓ１０１で取得したＢＳＲインデックス（第一ＢＳＲインデックスと称されてもよい）を、処理対象のＬＣＧに対応する第一フィールドに格納する（Ｓ１０２）。
【００９５】
無線端末１０は、Ｓ１０１で取得したＢＳＲインデックスが、第一インデックス値に該当するかを判定する（Ｓ１０３）。実施例１に係る第一インデックス値は、例えば、ＢＳＲインデックステーブルにおいてバッファ値に対応付けられた一以上のＢＳＲインデックスのうち最後のＢＳＲインデックスに相当する。図６の例において、最後のＢＳＲインデックスは、ＢＳＲインデックステーブルに規定されるバッファの最大値（９６００００００ｂｙｔｅ）をバッファ値ＢＳが超過することを意味するＢＳＲインデックス「２５１」に相当する。別言すると、図６の例において、第一インデックス値は「２５１」であってもよい。
【００９６】
Ｓ１０３において、無線端末１０は、Ｓ１０１で取得したＢＳＲインデックスが第一インデックスに一致する場合、ＢＳＲインデックスが第一インデックス値に該当すると判定してもよい（Ｓ１０３でＹＥＳ）。一方、Ｓ１０３において、無線端末１０は、Ｓ１０１で取得したＢＳＲインデックスが第一インデックス値と一致しない場合、ＢＳＲインデックスが第一インデックス値に該当しないと判定してもよい（Ｓ１０３でＮＯ）。
【００９７】
無線端末１０は、ＢＳＲインデックスが第一インデックス値に該当すると判定した場合（Ｓ１０３でＹＥＳ）、追加ＢＳＲインデックス（第二ＢＳＲインデックスと称されてもよい）を取得する（Ｓ１０４Ａ）。Ｓ１０４Ａにおいて、無線端末１０は、第一フィールドのＢＳＲインデックス「２５１」に対応するバッファ値「９６００００００ｂｙｔｅ」（最大バッファ値と称されてもよい）に対して、ＢＳＲインデックス「２５１」からＢＳＲインデックス「２５５」までの４個のＢＳＲインデックスの各々に対応付けられているＢＳＲ係数を昇順に乗算してもよい。そして、Ｓ１０４Ａにおいて、無線端末１０は、最大バッファ値と各ＢＳＲ係数の乗算結果のうち、初めに無線端末１０のバッファ値ＢＳ以上となるＢＳＲ係数に対応するＢＳＲインデックスを、追加ＢＳＲインデックスとして選択する。例えば、無線端末１０のバッファ値ＢＳが「１９２００００００ｂｙｔｅ」である場合、昇順で１番目のＢＳＲ係数「ｘ１．５」と最大バッファ値「９６００００００ｂｙｔｅ」との乗算結果［１］は、「１４４００００００ｂｙｔｅ」であり、バッファ値ＢＳ＜＝乗算結果［１］の条件を満たさない。次に、昇順で２番目のＢＳＲ係数「ｘ２．０」と最大バッファ値「９６００００００ｂｙｔｅ」との乗算結果［２］は、「１９２００００００ｂｙｔｅ」であり、バッファ値ＢＳ＜＝乗算結果［２］の条件を満たす。そのため、無線端末１０は、２番目のＢＳＲ係数「ｘ２．０」に対応するＢＳＲインデックス「２５３」を追加ＢＳＲインデックスとして選択してもよい。この場合、３番目以降のＢＳＲ係数を用いた乗算は省略してもよい。
【００９８】
無線端末１０は、Ｓ１０４Ａを実行した場合、処理対象のＬＣＧに対応する第二フィールドに、追加ＢＳＲインデックスを格納する（Ｓ１０５）。
【００９９】
一方、Ｓ１０３において、ＢＳＲインデックス（第一ＢＳＲインデックスと称されてもよい）が第一インデックス値に該当しないと判定した場合（Ｓ１０３でＮＯ）、無線端末１０は、処理対象のＬＣＧについて第二フィールドを割当てることなく、Ｓ１０４およびＳ１０５をスキップしてもよい。
【０１００】
以上が、実施例２に係るＢＳＲ伝送シーケンスにおける無線端末１０の処理の流れの一例である。つぎに、無線基地局２０の処理の流れについて説明する。
【０１０１】
図９は、実施例２に係るＢＳＲ伝送シーケンスにおける無線基地局２０の処理の流れの一例を示す図である。図９に例示する処理の流れは、例えば、無線基地局２０が、無線端末１０から受信したＢＳＲから、ＬＣＧ単位の第一フィールドを参照する際に実行されてもよい。別言すると、無線端末１０から受信したＢＳＲに複数のＬＣＧの各々について一以上のフィールドが含まれている場合、無線端末１０は、図９に例示される処理をＬＣＧ毎に実行してもよい。なお、説明の便宜上、図９に例示される処理を無線基地局２０が実行するものとして説明するが、無線基地局２０は、処理の実行主体として一以上のプロセッサ回路を備えてもよい。
【０１０２】
まず、無線基地局２０は、無線端末１０から受信したＢＳＲの第一フィールドからＢＳＲインデックスを取得する（Ｓ２０１）。Ｓ２０１において、無線基地局２０は、無線端末１０から受信したＢＳＲに複数の第一フィールドが含まれる場合、ＢＳＲに含まれる第一フィールドのうち、処理対象のＬＣＧに対応付けられた第一フィールドから、ＢＳＲインデックスを取得してもよい。
【０１０３】
無線基地局２０は、ＢＳＲインデックステーブルに従って、Ｓ２０１で取得したＢＳＲインデックス（第一ＢＳＲインデックスと称されてもよい）をバッファ値ＢＳ１（第一バッファ値と称されてもよい）に変換する（Ｓ２０２）。例えば、ＢＳＲインデックスが「２５０」である場合、図６に例示するＢＳＲインデックステーブルによれば、ＢＳＲインデックスに対応するバッファ値ＢＳ１は「９００８９３２３ｂｙｔｅ＜ＢＳ１＜＝９６００００００ｂｙｔｅ」の範囲である。
【０１０４】
無線基地局２０は、処理Ｓ２０１で取得したＢＳＲインデックスが、第一インデックス値に該当するかを判定する（Ｓ２０３）。ここで、第一インデックス値は、無線端末１０における第一インデックス値と同様である。すなわち、実施例１に係る第一インデックス値は、例えば、ＢＳＲインデックステーブルにおいてバッファ値に対応付けられた一以上のＢＳＲインデックスのうち最後のＢＳＲインデックスに相当する。図６の例において、最後のＢＳＲインデックスは、ＢＳＲインデックステーブルに規定されるバッファの最大値（９６００００００ｂｙｔｅ）をバッファ値ＢＳ１が超過することを意味するＢＳＲインデックス「２５１」に相当する。別言すると、図６の例において、第一インデックス値は「２５１」であってもよい。
【０１０５】
Ｓ２０３において、無線基地局２０は、Ｓ２０１で取得したＢＳＲインデックスが第一インデックス値と一致する場合、ＢＳＲインデックスが第一インデックス値に該当すると判定してもよい（Ｓ２０３でＹＥＳ）。一方、Ｓ２０３において、無線基地局２０は、Ｓ２０１で取得したＢＳＲインデックスが第一インデックス値と一致しない場合、ＢＳＲインデックスが第一インデックス値に該当しないと判定してもよい（Ｓ２０３でＮＯ）。
【０１０６】
無線基地局２０は、ＢＳＲインデックスが第一インデックス値に該当すると判定した場合（Ｓ２０３でＹＥＳ）、無線端末１０から受信したＢＳＲの第二フィールドから、追加ＢＳＲインデックス（第二ＢＳＲインデックスと称されてもよい）を取得する（Ｓ２０４）。Ｓ２０４において、無線端末１０から受信したＢＳＲに複数の第二フィールドが含まれている場合、処理対象のＬＣＧに対応付けられている第二フィールドから、追加ＢＳＲインデックスを取得してもよい。
【０１０７】
無線基地局２０は、Ｓ２０４で取得した追加ＢＳＲインデックスを、ＢＳＲインデックステーブルに従って、ＢＳＲ係数に変換する（Ｓ２０５Ａ）。例えば、追加ＢＳＲインデックスが「２５３」である場合、図６に例示するＢＳＲインデックステーブルによれば、追加ＢＳＲインデックスに対応するＢＳＲ係数は「ｘ２．０」である。
【０１０８】
無線基地局２０は、Ｓ２０５Ａで取得したＢＳＲ係数と、Ｓ２０２で取得したバッファ値ＢＳ１とに基づいて、無線端末１０のバッファ推定値を取得する（Ｓ２０６Ａ）。ここで、Ｓ２０２で取得したバッファ値ＢＳは、ＢＳＲインデックスが第一インデクス値に該当するため、ＢＳＲインデックステーブルに規定されるバッファの最大値に相当する。すなわち、図２に例示されるＢＳＲインデックステーブルによれば、バッファの最大値は「９６００００００ｂｙｔｅ」であるため、Ｓ２０６Ａにおけるバッファ値ＢＳ１は「９６００００００ｂｙｔｅ」である。
【０１０９】
Ｓ２０６Ａにおいて、無線基地局２０は、例えば、Ｓ２０５Ａで取得したＢＳＲ係数を、Ｓ２０２で取得したバッファ値ＢＳ１（例えば「９６００００００ｂｙｔｅ」）に乗算することで、無線端末１０のバッファ推定値ＢＳを取得してもよい。例えば、無線端末１０は、Ｓ２０５で取得したＢＳＲ係数「ｘ２．０」を、Ｓ２０２で取得したバッファ値ＢＳ１「９６００００００ｂｙｔｅ」に乗算することで、バッファ推定値ＢＳの上限「１９２００００００ｂｙｔｅ」を取得してもよい。この場合、バッファ推定値ＢＳの下限は、Ｓ２０２で取得したバッファ値ＢＳ１の「９６００００００ｂｙｔｅ」としてもよい。すなわち、無線基地局２０は、ＢＳＲ係数とバッファ値ＢＳ１とに基づき、バッファ推定値ＢＳとして「９６００００００ｂｙｔｅ＜ＢＳ＜＝１９２００００００ｂｙｔｅ」の範囲を取得してもよい。
【０１１０】
また、Ｓ２０６Ａにおいて、無線基地局２０は、ＢＳＲインデックステーブルにおいてＢＳＲ係数が対応付けられたＢＳＲインデックスのうち、Ｓ２０４でＢＳＲの第二フィールドから取得した追加ＢＳＲインデックスよりも一つ小さいＢＳＲインデックスに対応付けられたＢＳＲ係数に基づいて、無線端末１０のバッファ推定値ＢＳの下限を取得してもよい。例えば、図７の例では、ＢＳＲの第二フィールドから取得される追加ＢＳＲインデックスは「２５３」（二進数で表現すると「１１１１１１０１」）である。図６に例示されるＢＳＲインデックステーブルによれば、追加ＢＳＲインデックス「２５３」よりも一つ小さいＢＳＲインデックスは「２５２」であり、ＢＳＲインデックス「２５２」に対応するＢＳＲ係数は「ｘ１．５」である。この例では、無線基地局２０は、Ｓ２０２で取得したバッファ値ＢＳ１「９６００００００ｂｙｔｅ」にＢＳＲ係数「ｘ１．５」を乗算した結果に基づき、バッファ推定値ＢＳの下限値として、「１４４００００００ｂｙｔｅ」を取得する。すなわち、無線基地局２０は、ＢＳＲ係数とバッファ値ＢＳ１とに基づき、バッファ推定値ＢＳとして、「１４４００００００ｂｙｔｅ＜ＢＳ＜＝１９２００００００ｂｙｔｅ」の範囲を取得してもよい。
【０１１１】
一方、Ｓ２０３において、ＢＳＲインデックスが第一インデクス値に該当しないと判定した場合（Ｓ２０３でＮＯ）、無線基地局２０は、Ｓ２０４ないしＳ２０６Ａをスキップして、Ｓ２０２で取得したバッファ値ＢＳ１を、無線端末１０のバッファ推定値ＢＳとしてもよい。
【０１１２】
以上が、実施例２に係るＢＳＲ伝送シーケンスにおける無線基地局２０の処理の流れの一例である。
【０１１３】
以上に開示される実施例２の一側面によれば、無線端末１０のバッファに格納された未送信のアップリンクデータのサイズ（バッファ値とも称される）を通知するバッファ状態報告（ＢＳＲ）に、無線端末のバッファ値に応じて、ＢＳＲインデックス値を格納するための第一フィールドとは別に、新たに第二フィールドが追加される。これにより、無線端末１０は、バッファ状態報告（ＢＳＲ）の第一フィールドと第二フィールドとを用いて、無線端末１０のバッファ値を精度よく無線基地局２０へ通知することができる。この様な作用は、第五世代移動通信システムにおけるアップリンクの超高速大容量伝送サービスの性能を維持向上させるうえで有用である。
【０１１４】
以上に開示される実施例２の他の一側面によれば、バッファ状態報告（ＢＳＲ）の第一フィールドに格納されるＢＳＲインデックスが第一インデックス値に該当する場合、無線端末１０のバッファ値がＢＳＲインデックステーブルにおけるバッファ最大値をどの程度超過するかを示す追加ＢＳＲインデックスを格納するための第二フィールドが、ＢＳＲに追加される。これにより、無線基地局２０は、ＢＳＲの第一フィールドと第二フィールドとに格納された値を用いて、無線端末１０のバッファ値を精度よく推定することができる。この様な作用は、第五世代移動通信システムにおけるアップリンクの超高速大容量伝送サービスの性能を維持向上させるうえで有用である。
【０１１５】
以上に開示される実施例２のさらなる他の一側面によれば、バッファ状態報告（ＢＳＲ）の第二フィールドに格納される追加ＢＳＲは、無線端末１０のバッファ値がＢＳＲインデックステーブルにおけるバッファ最大値をどの程度超過するかを示すＢＳＲ係数に対応する。これにより、無線基地局２０は、ＢＳＲの第一フィールドと第二フィールドとに格納された値を用いて、無線端末１０のバッファ値を精度よく推定することができる。この様な作用は、第五世代移動通信システムにおけるアップリンクの超高速大容量伝送サービスの性能を維持向上させるうえで有用である。
【０１１６】
＜実施例３＞  実施例３に係る無線通信システム１では、アップリンクの論理チャネルグループ（ＬＣＧ）毎に、バッファ最大値を設定し得る。これにより、ＬＣＧ毎の無線サービスの特性に応じて、適切なバッファ最大値を規定するＢＳＲインデックステーブル（変換テーブルと称されてもよい）を用いてバッファ状態報告を送信することができる。そのため、無線端末１０のバッファ値を、精度よく無線基地局２０へ通知することができる。
【０１１７】
図１０は、実施例３に係るＢＳＲインデックステーブルの一例を示す図である。図１０に示すＢＳＲインデックステーブルは、０ｂｙｔｅから１９２００００００ｂｙｔｅ（＝１９２Ｍｂｙｔｅ＝１９２０００Ｋｂｙｔｅ）までの区間を、６３段階の範囲に分割し、各範囲に対して６３個のＢＳＲインデックス（すなわち、０から６２）が関連付けられている。例えば、インデックス値が「６２」のＢＳＲインデックスに対して、範囲「１４５８４８７９６＜ＢＳ＜＝１９２００００００」が関連付けられている。範囲「１４５８４８７９６＜ＢＳ＜＝１９２００００００」に属するバッファ値ＢＳは、１４５８４８７９６ｂｙｔｅより大きく、かつ、１９２００００００ｂｙｔｅ以下という範囲における何れかの値である。最後のＢＳＲインデックス（すなわち、６３）は、ＢＳＲインデックステーブルにおいて規定されるバッファの最大値（バッファ最大値と称されてもよい）を超過するバッファ値ＢＳを意味する。図１０の例において、ＢＳＲインデックステーブルに規定されるバッファ最大値は「１９２００００００ｂｙｔｅ」である。なお、図１０に示すＢＳＲインデックステーブルの各値は、一例であって、本実施例はこれらの値に限定されるものではない。
【０１１８】
実施例３に係る無線通信システム１における無線端末１０および無線基地局２０は、図２に例示するＢＳＲインデックステーブル（第一ＢＳＲインデックステーブル、第一変換テーブルと称されてもよい）と、図１０に例示するＢＳＲインデックステーブル（第二ＢＳＲインデックステーブル、第二変換テーブル、拡張ＢＳＲインデックステーブル、拡張変換テーブルと称されてもよい）と、を有するものとする。図２の例における第一変換ステーブルのバッファ最大値は「３００００００ｂｙｔｅ」であり、図１０の例における第二変換テーブルのバッファ最大値は「１９２００００００ｂｙｔｅ」である。すなわち、第一変換テーブルと第二変換テーブルとは、バッファ最大値が異なる。
【０１１９】
図１１は、実施例３に係るＢＳＲ伝送シーケンスにおける無線端末１０の処理の流れの一例を示す図である。図１１に例示する処理の流れは、例えば、無線端末１０がＬＣＧ単位のＢＳＲインデックスを取得する際に実行されてもよい。別言すると、複数のＬＣＧについてＢＳＲインデックスを取得しようとする場合、無線端末１０は、図１１に例示される処理をＬＣＧ毎に実行してもよい。なお、説明の便宜上、図１１に例示される処理を無線端末１０が実行するものとして説明するが、無線端末１０は、処理の実行主体として一以上のプロセッサ回路を備えてもよい。
【０１２０】
まず、無線端末１０は、処理対象のＬＣＧに応じた変換テーブルに従って、現在のバッファ値ＢＳをＢＳＲインデックスに変換する（Ｓ１０１Ｂ）。Ｓ１０１Ｂにおいて、無線端末１０は、上位レイヤからの設定に基づいて、処理対象のＬＣＧに応じた変換テーブルを選択してもよい。
【０１２１】
図１２は、実施例３に係る変換テーブルとＬＣＧとの対応関係に関する設定情報の一例を示す図である。図１２の例では、論理チャネルグループ（ＬＣＧ）毎に、バッファ最大値（BS Max value）が設定されている。例えば、ＬＣＧ［０］、ＬＣＧ［２］、ＬＣＧ［３］、ＬＣＧ［４］、ＬＣＧ［５］に対しては、バッファ最大値「３００００００ｂｙｔｅ」（第一の値と称されてもよい）が設定されている。ＬＣＧ［１］に対しては、第一の値よりも大きなバッファ最大値「１９２００００００ｂｙｔｅ」（第二の値と称されてもよい）が設定されている。なお、図１２の例示は、設定情報の概念を示すものであって、必ずしも例示した値それ自体が設定されているとは限らない。例えば、第一の値と第二の値との区別を、１ビットの数値（すなわち「１」「０」）で設定してもよい。別言すると、設定情報においてＬＣＧ毎に「１」または「０」を関係づけることで、ＬＣＧに対応付けられたバッファ最大値が、第一の値であるのか、第二の値であるのかを設定してもよい。
【０１２２】
実施例３に係る無線通信システム１における無線端末１０および無線基地局２０は、図１２に例示する設定情報を有するものとする。無線端末１０は、無線基地局２０から送信されるＲＲＣ（Radio Resource Control）メッセージにより、図１２に例示する設定情報を取得してもよい。別言すると、無線基地局２０は、図１２に例示する設定情報を含むＲＲＣメッセージを、無線端末１０に送信してもよい。このようなＲＲＣメッセージは、複数のＬＣＧの各々に関するバッファ最大値を定義した設定情報を含んでもよいし、一つのＬＣＧに関するバッファ最大値を定義した設定情報を含んでもよい。
【０１２３】
Ｓ１０１Ｂにおいて、無線端末１０は、図１２に例示する設定情報に基づいて、処理対象のＬＣＧに対応するバッファ最大値を取得し、複数の変換テーブルのうち、当該バッファ最大値を規定する変換テーブルを選択するとことで、処理対象のＬＣＧに応じた変換テーブルを選択してもよい。例えば、無線端末１０は、処理対象のＬＣＧがＬＣＧ［０］である場合、図１２の例によれば、ＬＣＧ［０］に対応するバッファ最大値は「３００００００ｂｙｔｅ」であるため、第一変換テーブルが選択される。一方、無線端末１０は、処理対象のＬＣＧがＬＣＧ［１］である場合、図１２の例によれば、ＬＣＧ［１］に対応するバッファ最大値は「１９２００００００ｂｙｔｅ」であるため、第二変換テーブルが選択される。
【０１２４】
Ｓ１０１Ｂにおいて、無線端末１０は、処理対象のＬＣＧに属する論理チャネル（ＬＣ：Logical Channel）の送信バッファに滞留する未送信のアップリンクデータのサイズ（バッファ値、バッファサイズ値、ＢＳ値と称されてもよい）を取得し、処理対象のＬＣＧに応じた変換テーブル（ＢＳＲインデックステーブルと称されてもよい）に従って、ＢＳ値からＢＳＲインデックスに変換してもよい。Ｓ１０１Ｂにおいて、無線端末１０は、処理対象のＬＣＧに属する論理チャネルが複数存在する場合、各論理チャネルのバッファ値を合計した値をＢＳ値としてもよい。
【０１２５】
無線端末１０は、Ｓ１０１Ｂで取得したＢＳＲインデックス（第一ＢＳＲインデックスと称されてもよい）を、処理対象のＬＣＧに対応する第一フィールドに格納する（Ｓ１０２）。
【０１２６】
無線端末１０は、Ｓ１０１Ｂで取得したＢＳＲインデックスが、第一インデックス値に該当するかを判定する（Ｓ１０３）。実施例１に係る第一インデックス値は、例えば、処理対象のＬＣＧに応じた変換テーブル（ＢＳＲインデックステーブルと称されてもよい）においてバッファ値に対応付けられた一以上のＢＳＲインデックスのうち最後のＢＳＲインデックスに相当する。図２の例において、第一変換テーブルにおける最後のＢＳＲインデックスは「６３」である。図１０の例において、第二変換テーブルにおける最後のＢＳＲインデックスは「６３」である。なお、図２の例も、図１０の例も、最後のＢＳＲインデックスは「６３」で同じであるが、第一変換テーブルにおけるバッファ最大値（３００００００ｂｙｔｅ）よりも第二変換テーブルにおけるバッファ最大値（１９２００００００ｂｙｔｅ）の方が大きいことに留意されたい。
【０１２７】
Ｓ１０３において、無線端末１０は、Ｓ１０１Ｂで取得したＢＳＲインデックスが第一インデックス値に一致する場合、ＢＳＲインデックスが第一インデックス値に該当すると判定してもよい（Ｓ１０３でＹＥＳ）。一方、Ｓ１０３において、無線端末１０は、Ｓ１０１で取得したＢＳＲインデックスが第一インデックス値と一致しない場合、ＢＳＲインデックスが第一インデックス値に該当しないと判定してもよい（Ｓ１０３でＮＯ）。
【０１２８】
無線端末１０は、ＢＳＲインデックスが第一インデックス値に該当すると判定した場合（Ｓ１０３でＹＥＳ）、処理対象のＬＣＧに応じた変換テーブルに従って、追加ＢＳＲインデックス（第二ＢＳＲインデックスと称されてもよい）を取得する（Ｓ１０４Ｂ）。Ｓ１０４Ｂにおいて、無線端末１０は、処理対象のＬＣＧに応じた変換テーブルに規定されるバッファ最大値を、バッファ値ＢＳから減算することで、バッファ最大値を超過するバッファの量に相当する超過バッファ値ＢＳ２を取得してもよい。例えば、処理対象のＬＣＧに応じた変換テーブルが第一変換テーブルの場合、図２の例によれば、バッファ最大値は「３００００００ｂｙｔｅ」であり、バッファ値ＢＳが「６００００００ｂｙｔｅ」であれば、超過バッファ値ＢＳ２は「３００００００ｂｙｔｅ」（＝６００００００ｂｙｔｅ−３０００ｂｙｔｅ）となる。なお、図１０の例によれば、バッファ値ＢＳが「６００００００ｂｙｔｅ」であれば、第二変換テーブルにおいて超過バッファ値ＢＳ２は生じないことに留意されたい。
【０１２９】
Ｓ１０４Ｂにおいて、無線端末１０は、処理対象のＬＣＧに応じた変換テーブルに従って、超過バッファ値ＢＳ２に対応するＢＳＲインデックスを選択することで、追加ＢＳＲインデックスを取得してもよい。例えば、超過バッファ値ＢＳ２が「３００００００ｂｙｔｅ」の場合、図２に例示される第二変換テーブルによれば、超過バッファ値ＢＳ２に対応する追加ＢＳＲは「６２」である。
【０１３０】
無線端末１０は、Ｓ１０４Ｂを実行した場合、処理対象のＬＣＧに対応する第二フィールドに、追加ＢＳＲインデックスを格納する（Ｓ１０５）。
【０１３１】
一方、Ｓ１０３において、ＢＳＲインデックス（第一ＢＳＲインデックスと称されてもよい）が第一インデックス値に該当しないと判定した場合（Ｓ１０３でＮＯ）、無線端末１０は、処理対象のＬＣＧについて第二フィールドを割当てることなく、Ｓ１０４およびＳ１０５をスキップしてもよい。
【０１３２】
以上が、実施例３に係るＢＳＲ伝送シーケンスにおける無線端末１０の処理の流れの一例である。つぎに、無線基地局２０の処理の流れについて説明する。  
【０１３３】
図１３は、実施例３に係るＢＳＲ伝送シーケンスにおける無線基地局２０の処理の流れの一例を示す図である。図１３に例示する処理の流れは、例えば、無線基地局２０が、無線端末１０から受信したＢＳＲから、ＬＣＧ単位の第一フィールドを参照する際に実行されてもよい。別言すると、無線端末１０から受信したＢＳＲに複数のＬＣＧの各々について一以上のフィールドが含まれている場合、無線端末１０は、図１３に例示される処理をＬＣＧ毎に実行してもよい。なお、説明の便宜上、図１３に例示される処理を無線基地局２０が実行するものとして説明するが、無線基地局２０は、処理の実行主体として一以上のプロセッサ回路を備えてもよい。
【０１３４】
まず、無線基地局２０は、無線端末１０から受信したＢＳＲの第一フィールドからＢＳＲインデックスを取得する（Ｓ２０１）。Ｓ２０１において、無線基地局２０は、無線端末１０から受信したＢＳＲに複数の第一フィールドが含まれる場合、ＢＳＲに含まれる第一フィールドのうち、処理対象のＬＣＧに対応付けられた第一フィールドから、ＢＳＲインデックスを取得してもよい。
【０１３５】
無線基地局２０は、処理対象のＬＣＧに応じた変換テーブルに従って、Ｓ２０１で取得したＢＳＲインデックス（第一ＢＳＲインデックスと称されてもよい）をバッファ値ＢＳ１に変換する（Ｓ２０２Ｂ）。例えば、ＢＳＲインデックスが「６２」である場合、図２に例示する第一変換テーブルによれば、ＢＳＲインデックスに対応するバッファ値ＢＳ１は「２４３９６７８ｂｙｔｅ＜ＢＳ１＜＝３００００００ｂｙｔｅ」の範囲である。なお、処理対象のＬＣＧに応じた変換テーブルの選択方法については、無線端末１０におけるＳ１０１Ｂの処理と同様であるため、詳細な説明を省略する。
【０１３６】
無線基地局２０は、処理Ｓ２０１で取得したＢＳＲインデックスが、第一インデックス値に該当するかを判定する（Ｓ２０３）。  ここで、第一インデックス値は、無線端末１０における第一インデックス値と同様である。すなわち、実施例１に係る第一インデックス値は、例えば、処理対象のＬＣＧに応じた変換テーブルにおける最後のＢＳＲインデックスに相当する。図２の例において、第一変換テーブルにおける最後のＢＳＲインデックスは「６３」である。図１０の例において、第二変換テーブルにおける最後のＢＳＲインデックスは「６３」である。なお、図２の例も、図１０の例も、最後のＢＳＲインデックスは「６３」で同じであるが、第一変換テーブルにおけるバッファ最大値（３００００００ｂｙｔｅ）よりも第二変換テーブルにおけるバッファ最大値（１９２００００００ｂｙｔｅ）の方が大きいことに留意されたい。
【０１３７】
Ｓ２０３において、無線基地局２０は、Ｓ２０１で取得したＢＳＲインデックスが第一インデックス値と一致する場合、ＢＳＲインデックスが第一インデックス値に該当すると判定してもよい（Ｓ２０３でＹＥＳ）。一方、Ｓ２０３において、無線基地局２０は、Ｓ２０１で取得したＢＳＲインデックスが第一インデックス値と一致しない場合、ＢＳＲインデックスが第一インデックス値に該当しないと判定してもよい（Ｓ２０３でＮＯ）。
【０１３８】
無線基地局２０は、ＢＳＲインデックスが第一インデックス値に該当すると判定した場合（Ｓ２０３でＹＥＳ）、無線端末１０から受信したＢＳＲの第二フィールドから、追加ＢＳＲインデックス（第二ＢＳＲインデックスと称されてもよい）を取得する（Ｓ２０４）。Ｓ２０４において、無線端末１０から受信したＢＳＲに複数の第二フィールドが含まれている場合、処理対象のＬＣＧに対応付けられている第二フィールドから、追加ＢＳＲインデックスを取得してもよい。
【０１３９】
無線基地局２０は、Ｓ２０４で取得した追加ＢＳＲインデックスを、処理対象のＬＣＧに応じた変換テーブルに従って、第二バッファ値ＢＳ２に変換する（Ｓ２０５Ｂ）。例えば、追加ＢＳＲインデックスが「６２」である場合、図２に例示する第一変換テーブルによれば、追加ＢＳＲインデックスに対応する第二バッファ値ＢＳ２は「２４３９６７８ｂｙｔｅ＜ＢＳ２＜＝３００００００」の範囲である。
【０１４０】
無線基地局２０は、Ｓ２０５Ｂで取得した第二バッファ値ＢＳ２と、Ｓ２０２Ｂで取得したバッファ値ＢＳ１とに基づいて、無線端末１０のバッファ推定値ＢＳを取得する（Ｓ２０６）。ここで、Ｓ２０２Ｂで取得したバッファ値ＢＳ１は、ＢＳＲインデックスが第一インデクス値に該当するため、処理対象のＬＣＧに応じた変換テーブルに規定されるバッファ最大値に相当する。すなわち、図２に例示される第一変換テーブルによれば、バッファの最大値は「３００００００ｂｙｔｅ」であるため、Ｓ２０６におけるバッファ値ＢＳ１は「３００００００ｂｙｔｅ」である。図１０に例示される第二変換テーブルによれば、バッファの最大値は「１９２００００００ｂｙｔｅ」であるため、Ｓ２０６におけるバッファ値ＢＳ１は「１９２００００００ｂｙｔｅ」である。
【０１４１】
Ｓ２０６において、無線基地局２０は、例えば、Ｓ２０５Ｂで取得した第二バッファ値ＢＳ２に、Ｓ２０２Ｂで取得したバッファ値ＢＳ１（例えば「３００００００ｂｙｔｅ」）を加算することで、無線端末１０のバッファ推定値ＢＳを取得してもよい。例えば、第二バッファ値ＢＳ２が「２４３９６７８ｂｙｔｅ＜ＢＳ２＜＝３００００００」の範囲である場合、図２に例示される第一変換テーブルによれば、無線基地局２０は、第二バッファ値ＢＳ２の範囲を規定する上限値と下限値との各々にバッファ値ＢＳ１「３００００００ｂｙｔｅ」を加算することで、バッファ推定値ＢＳとして、「５４３９６７８ｂｙｔｅ＜ＢＳ＜＝６００００００」の範囲を取得してもよい。
【０１４２】
一方、Ｓ２０３において、ＢＳＲインデックスが第一インデクス値に該当しないと判定した場合（Ｓ２０３でＮＯ）、無線基地局２０は、Ｓ２０４ないしＳ２０６をスキップして、Ｓ２０２Ｂで取得したバッファ値ＢＳ１を、無線端末１０のバッファ推定値ＢＳとしてもよい。
【０１４３】
以上が、実施例３に係るＢＳＲ伝送シーケンスにおける無線基地局２０の処理の流れの一例である。
【０１４４】
以上に開示される実施例３の一側面によれば、無線端末１０のバッファに格納された未送信のアップリンクデータのサイズ（バッファ値とも称される）を通知するバッファ状態報告（ＢＳＲ）に、無線端末１０のバッファ値に応じて、ＢＳＲインデックス値を格納するための第一フィールドとは別に、新たに第二フィールドが追加される。これにより、無線端末１０は、バッファ状態報告（ＢＳＲ）の第一フィールドと第二フィールドとを用いて、無線端末１０のバッファ値を精度よく無線基地局２０へ通知することができる。この様な作用は、第五世代移動通信システムにおけるアップリンクの超高速大容量伝送サービスの性能を維持向上させるうえで有用である。
【０１４５】
以上に開示される実施例１の他の一側面によれば、アップリンクの論理チャネルグループ（ＬＣＧ）毎に、変換テーブル（ＢＳＲインデックステーブルと称されてもよい）におけるバッファ最大値を設定することができる。例えば、ｅＭＢＢのような超高速大容量伝送サービスに用いられる論理チャネルが属するＬＣＧに対して、複数の変換テーブルのうち、大きなバッファ最大値が規定されている第二変換テーブルを割当てるように設定することで、無線端末１０のバッファ値が変換テーブルに規定されるバッファ最大値を超過する事象の発生を抑制することができる。一方、ｅＭＢＢのような超高速大容量伝送サービスほどに大量のアップリンクデータの発生が想定されない伝送サービスに用いられる論理チャネルが属するＬＣＧに対して、第二変換テーブルよりも小さなバッファ最大値が規定される第一変換テーブルを割当てるように設定することで、バッファ状態報告（ＢＳＲ）で通知するバッファ値の粒度が粗くなることを抑制することができる。これらにより、実施例３に係る無線端末１０は、無線端末１０のバッファ値を、より精度よく、無線基地局２０に伝えることができる。別言すると、実施例３に係る無線基地局２０は、無線端末１０からのバッファ状態報告（ＢＳＲ）に基づいて、無線端末１０のバッファ値をより精度よく推定することができる。この様な作用は、第五世代移動通信システムにおけるアップリンクの超高速大容量伝送サービスの性能を維持向上させるうえで有用である。
【０１４６】
＜実施例４＞  実施例４に係る無線通信システム１では、無線端末１０のバッファに格納された未送信のアップリンクデータのサイズ（バッファ値とも称される）を通知するバッファ状態報告（ＢＳＲ）の伝送シーケンスにおいて用いられるＢＳＲインデックスのビット長がｎビット（例えば８ビット）に拡張される。さらに、ＢＳＲインデックステーブルの幾つかのインデックス（ＢＳＲインデックスと称されてもよい）に、リザーブが設けられる。これにより、無線端末１０のバッファ値が変換テーブルに規定されるバッファ最大値を超過する事象の発生を抑制しつつ、ＢＳＲインデックステーブルにおいて規定されるバッファ値の範囲が適切な粒度となるように設計することができる。
【０１４７】
まず、実施例４の導入に関する動機について説明する。上述の如く、第五世代移動通信システムにおける議論はまだ開始されたばかりであり、詳細な仕様について確定していないことが多い。その中で、ＢＳＲインデックステーブルにおいて規定されるバッファ値の決め方について、第四世代移動通信システム（ＬＴＥと称されてもよい）と同じ方法を継承する考え方が提案されている。
【０１４８】
第四世代移動通信システムでは、ＢＳＲインデックステーブルにおいて規定されるｋ番目のインデックスに対応付けられるバッファの上限値Bkは、以下の式により示される。なお、ｋ番目のインデックスに対応付けられるバッファの下限値は、BminまたはBk-1で示される。
Bk = eBmin× (1 - p) k u   ・・・(1)
ここで、値pは、次式により定義される。
p = ( Bmax / Bmin) 1 / (N-1)- 1   ・・・(2)
【０１４９】
式（１）および式（２）において、値Bminは、ＢＳＲインデックステーブルにおいて規定されるバッファの最小値（バッファ最小値と称されてもよい）であって、例えば１０ｂｙｔｅである。式（１）および式（２）において、値Bmaxは、ＢＳＲインデックステーブルにおいて規定されるバッファの最大値（バッファ最大値と称されてもよい）である。式（２）における値Ｎは、ＢＳＲインデックステーブルにおいて規定されるＢＳＲインデックスのビット長に応じた値であり、例えば６ビット長のＢＳＲインデックスの場合、Ｎ＝２＾６−１＝６３である。なお、上述のＢＳＲインデックステーブルにおいて規定されるバッファ値の決め方については、非特許文献「R2-083101、Buffer Size Levels for BSR in E-UTRA Uplink」に詳しい。
【０１５０】
図１４は、ＢＳＲインデックスを８ビットに拡張した場合のＢＳＲインデックステーブルの内容例である。図１４の例では、ＢＳＲインデックスが８ビットに拡張され、０値から２５５値までの２５６個のＢＳＲインデックスが存在する。図１４のＢＳＲインデックステーブルは、これら２５６個のＢＳＲインデックスに対して、上述の第四世代移動通信システムと同様の方法により決められたバッファ値が定義されている。
【０１５１】
図１４の例から理解されるように、ＢＳＲインデックスを拡張して、第四世代移動通信システムと同様の方法によりバッファ値を定義すると、ＢＳＲインデックスの一部に重複するバッファ値が定義されるという不具合が生じ得る。すなわち、図１４の例では、ＢＳＲインデックス「５」に対して、バッファ値「１３＜ＢＳ＜＝１３」が定義されてしまっている。別言すると、ＢＳＲインデックス「５」に対して、ＢＳＲインデックス「４」のバッファ値と重複するバッファ値が定義されている。そのため、ＢＳＲインデックス「５」が意味をなさないインデックスになっている。あるいは別の見方では、「１３＜ＢＳ＜＝１３」となるＢＳ値は数学的に存在しないので、ＢＳＲインデックス「５」は無効なインデックスとなる。この様に、ＢＳＲインデックスのビット長を拡張することで、ＢＳＲインデックステーブルにおいて規定されるバッファ最大値を増加させることができる反面、バッファ値の粒度が細かくなりすぎるという弊害が生じ得る。なお、図１４の例において、値Bminは１０ｂｙｔｅであり、値Bmaxは９６００００００ｂｙｔｅ（「150Kbyte * 10 * 16 * 4」＝「LTEのBmax * 10倍のレート * 16キャリア * 4 UL MIMOレイヤ」）である。
【０１５２】
そこで、実施例４では、ＢＳＲインデックステーブルにおいて規定される複数のＢＳＲインデックスのうち、幾つかのＢＳＲインデックスがリザーブとして扱われる。
【０１５３】
図１５は、実施例４に係るＢＳＲインデックステーブルの内容例を示す図である。図１５のＢＳＲインデックステーブルでは、ＢＳＲインデックステーブルに規定されるＢＳＲインデックスのうち、「２４０値」から「２５５値」までの１６個のＢＳＲインデックスが、リザーブとして定義されている。別言すると、８ビット長のＢＳＲインデックスのうち、「０値」から「２３９値」までの２４０個のＢＳＲインデックスに対してバッファ値が定義されている。これにより、上述の式（２）におけるＮ値が変更される。そのため、図１５の例では、図１４の例で生じていた「１５値」のＢＳＲインデックスに対するバッファ値の不具合が、解消されている。なお、図１５の例において、第一インデックス値は、「２３９値」であってもよい。
【０１５４】
＜変形例１＞  上述の実施例１ないし実施例３では、無線端末１０のバッファ値がバッファ最大値を超過する場合に、一つのＬＣＧに対して一つの第一フィールドと一つの第二フィールドとを割当てる例を示したが、本開示はこれに限定されるものではない。例えば、無線端末１０のバッファ値が、ＢＳＲインデックステーブルに規定されるバッファ最大値を超過する度合いに応じて、一つのＬＣＧに対して一つの第一フィールドと複数の第二フィールドとを割当ててもよい。
【０１５５】
例えば、Ｓ１０４において、無線端末１０は、ＢＳＲインデックステーブルに従って超過バッファ値ＢＳ２（第一の超過バッファ値ＢＳ２［１］と称されてもよい）から変換したＢＳＲインデックス（第一の追加ＢＳＲインデックスと称されてもよい）が、第一インデックス値に該当するかを判定してもよい。そして、第一の追加ＢＳＲインデックスが第一インデックス値に該当する場合、第一の追加ＢＳＲインデックスを格納するための第二フィールド（第二フィールド［１］と称されてもよい）を、処理対象のＬＣＧに割当ててもよい。さらに、無線端末１０は、第一の超過バッファ値ＢＳ２［１］からバッファ最大値を減算することで、第二の超過バッファ値ＢＳ２［２］を取得し、そして、第二の超過バッファ値ＢＳ［２］から変換したＢＳＲインデックス（第二の追加ＢＳインデックス）を格納するための第二フィールド［２］を、処理対象のＬＣＧに割当ててもよい。また、無線端末１０は、第二の追加ＢＳＲインデックスが第一インデックス値に該当するか否かに応じて、さらに、第二フィールドを追加する処理を繰り返してもよい。
【０１５６】
＜変形例２＞  以上に開示する実施例３では、無線端末１０のバッファに格納された未送信のアップリンクデータのサイズ（バッファ値とも称される）を通知するバッファ状態報告（ＢＳＲ）に、無線端末１０のバッファ値に応じて、ＢＳＲインデックス値を格納するための第一フィールドとは別に、新たに第二フィールドが追加されることが説明されたが、実施例３の趣旨は、これに限定されるものではない。
【０１５７】
例えば、無線端末１０は、処理対象のＬＣＧに応じた変換テーブルに従って、現在のバッファ値ＢＳをＢＳＲインデックスに変換する処理（Ｓ１０１Ｂ）と、ＢＳＲインデックスをＢＳＲの第一フィールドに格納する処理（Ｓ１０２）とを実行し、その後の処理（Ｓ１０３ないしＳ１０５）を省略してもよい。
【０１５８】
また、無線基地局２０は、無線端末１０からのバッファ状態報告（ＢＳＲ）の第一フィールドからＢＳＲインデックスを取得する処理（Ｓ２０１）と、処理対象のＬＣＧに応じた変換テーブルに従って、Ｓ２０１で取得したＢＳＲインデックスをバッファ値ＢＳ１に変換する処理（Ｓ２０２Ｂ）とを実行し、その後の処理（Ｓ２０３ないしＳ２０６）を省略してもよい。
【０１５９】
変形例２の一側面によれば、アップリンクの論理チャネルグループ（ＬＣＧ）毎に、変換テーブル（ＢＳＲインデックステーブルと称されてもよい）におけるバッファ最大値を設定することができる。例えば、ｅＭＢＢのような超高速大容量伝送サービスに用いられる論理チャネルが属するＬＣＧに対して、複数の変換テーブルのうち、大きなバッファ最大値が規定されている第二変換テーブルを割当てるように設定することで、無線端末１０のバッファ値が変換テーブルに規定されるバッファ最大値を超過する事象の発生を抑制することができる。一方、ｅＭＢＢのような超高速大容量伝送サービスほどに大量のアップリンクデータの発生が想定されない伝送サービスに用いられる論理チャネルが属するＬＣＧに対して、第二変換テーブルよりも小さなバッファ最大値が規定される第一変換テーブルを割当てるように設定することで、バッファ状態報告（ＢＳＲ）で通知するバッファ値の粒度が粗くなることを抑制することができる。これらにより、実施例３に係る無線端末１０は、無線端末１０のバッファ値を、より精度よく、無線基地局２０に伝えることができる。別言すると、実施例３に係る無線基地局２０は、無線端末１０からのバッファ状態報告（ＢＳＲ）に基づいて、無線端末１０のバッファ値をより精度よく推定することができる。この様な作用は、第五世代移動通信システムにおけるアップリンクの超高速大容量伝送サービスの性能を維持向上させるうえで有用である。
【０１６０】
＜変形例３＞  上述の実施例４では、ＢＳＲインデックスがｎビット長に拡張される一例として、ｎ＝８の一例について説明したが、これに限定されるものではない。例えば、従前の６ビット長よりも大きい数であれば何ビットであってもよい。別言すると、実施例４では、ｎビット長（６ビットよりも大きい値）のＢＳＲインデックスのうち、一部のＢＳＲインデックスに対して、特定のバッファ値が対応付けられておらず、リザーブとして定義される。
【０１６１】
＜変形例４＞  上述の実施例４では、一部のＢＳＲインデックスをリザーブとする一例として、「２４０値」から「２５５値」までの１６個のＢＳＲインデックスをリザーブとする一例について説明したが、実施例４は、これに限定されるものではない。例えば、ｎビット長（６ビットよりも大きい値）に拡張したＢＳＲインデックスのうち、ｉビットを予約ビットにし、（ｎ−ｉ）ビットのＢＳＲインデックスに対してバッファ値を定義してもよい。例えば、８ビットに拡張したＢＳＲインデックスのうち、先頭の１ビットを予約ビットにし、残り７ビットのＢＳＲインデックに対してバッファ値を定義してもよい。この場合、「０値」〜「１２７値」までの１２８個のＢＳＲインデックスに対してバッファ値が定義されてもよい。
【０１６２】
＜変形例５＞  上述の実施例４では，一部のＢＳＲインデックスをリザーブとする一例として、「２４０値」から「２５５値」までの１６個のＢＳＲインデックスをリザーブとする一例について説明したが、実施例４は、これに限定されるものではない。例えば、「２４０値」から「２５５値」までをリザーブとして定義したが、「０値」から「１５値」の１６個のＢＳＲインデックスをリザーブとして定義してもよい。この場合「１６値」が「０」となり、以降は図１５と同様の値になる。
【０１６３】
＜変形例６＞  上述の実施例４では，ＢＳＲインデックス「５」に対して、バッファ値「１３＜ＢＳ＜＝１３」が定義されてしまう一例について、その解決策を説明したが、実施例４はこれに限定されるものではない。ＢＳＲインデックスのビット長を拡張することで粒度が細かくなり過ぎるという問題を解消するための方策として、例えば、ＢＳＲインデックステーブルに規定されるバッファ値の単位を変更してもよい。例えば、バッファ値（ＢＳ ｖａｌｕｅ： Buffer Size Value）の単位をバイトではなく、ビット単位として定義してもよい。別言すれば、ＢＳ  ｖａｌｕｅの値を８倍にしてもよい。当該方法により、「５値」のＢＳＲインデックスに対するＢＳＶ（Buffer Size Value）は数学的に有効な値となる。そのため、無線端末は「５値」のＢＳＲインデックスに対するＢＳＶを使用したＢＳＲを活用することができる。
【０１６４】
＜ハードウェア構成＞  最後に、以上に開示する各実施例に用いられる装置のハードウェア構成について、簡単に説明する。図１６は、無線通信システム１における無線端末１０と無線基地局２０とのハードウェア構成の一例を示す図である。
【０１６５】
図１６に示す無線端末１０は、無線通信回路１０１、処理回路１０２、メモリ１０３を有する。なお、図１６に示す無線端末１０では、アンテナなどの一部の構成について、図示を省略している。また、無線端末１０は、液晶ディスプレイなどの表示装置や、タッチパネルなどの入力装置や、リチウムイオン二次電池（lithium-ion rechargeable battery）などのバッテリなどを備えてもよい。
【０１６６】
無線通信回路１０１は、処理回路１０２からベースバンド信号（無線信号、デジタル無線信号と称されてもよい）の供給を受けて、当該ベースバンド信号から所定の出力レベルの無線信号（第二の無線信号、アナログ無線信号と称されてもよい）を生成し、アンテナを介して無線信号を空間に放射するように構成される。これにより、無線端末１０は、無線基地局２０に無線信号を送信することができる。また、無線通信回路１０１は、アンテナから入力される無線信号を受信し、無線信号をベースバンド信号に変換し、処理回路１０２にベースバンド信号を供給するように構成される。これにより、無線端末１０は、無線基地局２０からの無線信号を受信することができる。上述のように、無線通信回路１０１は、無線信号の送受信が可能となるように構成され、無線基地局２０との無線通信を行う機能を有する。
【０１６７】
無線通信回路１０１は、無線端末内部の伝送回路を介して処理回路１０２と通信可能に接続され得る。伝送回路としては、例えば、Ｍ−ＰＨＹ、Ｄｉｇ−ＲＦなどの規格に準拠した伝送回路が挙げられる。
【０１６８】
処理回路１０２（プロセッサ回路、演算回路と称されてもよい）は、ベースバンド信号処理を行うように構成される回路である。処理回路１０２は、無線通信システム１におけるプロトコルスタックに基づいてベースバンド信号（無線信号、デジタル無線信号と称されてもよい）を生成し、無線通信回路１０１にベースバンド信号を出力するように構成される。また、処理回路１０２は、無線通信回路１０１から入力されたベースバンド信号に対して、無線通信システム１におけるプロトコルスタックに基づいて復調・復号などの受信処理を行うように構成される。別言すれば、アップリンクにおいて、処理回路１０２は、無線通信の機能を複数のレイヤに分割したプロトコルスタックの手順に従って、無線基地局２０宛ての第一データを上位層から下位レイヤへと送信データを順次処理して得られた第二データに基づいて、無線通信回路１０１に無線信号を送信させる回路としての側面を有する。また、処理回路１０２は、無線通信の機能を複数のレイヤに分割したプロトコルスタックの手順に従って、無線通信回路１０１を介して受信した無線信号を、下位レイヤから上位層へと順次処理する回路としての側面を有する。ここで、無線通信回路１０１からベースバンド信号の入力を受けることは、無線通信回路１０１を介して無線基地局２０からの無線信号を受信するという側面を有する。
【０１６９】
処理回路１０２は、例えば、メモリ１０３に格納されたプログラムを読みだして実行することで、上述の各実施例に係る無線端末１０の動作を実現する演算装置であってもよい。別言すると、処理回路２０２は、図４、図８、図１１に例示する無線端末１０における処理の流れの実行主体としての側面を有する。処理回路１０２として、例えば、ＣＰＵ（Central Processing Unit）、ＭＰＵ（Micro Processing Unit）、ＤＳＰ（Digital Signal Processor）、ＦＰＧＡ（Field Programmable Gate Array）、これらの組合せなどが挙げられる。なお、処理回路１０２は、二以上のコアを含むマルチコアプロセッサであっても良い。また、処理回路１０２は、無線通信システム１のプロトコルスタックにおける各レイヤに応じて、二以上の処理回路１０２を実装してもよい。例えば、第一副層（ＰＤＣＰレイヤ）に属する第一副層エンティティ（ＰＤＣＰエンティティ）としての処理を実行する処理回路１０２と、第二副層（ＲＬＣレイヤ）に属する第二副層エンティティ（ＲＬＣエンティティ）としての処理を実行する処理回路１０２と、第三副層（ＭＡＣレイヤ）に属する第三副層エンティティ（ＭＡＣエンティティ）としての処理を実行する処理回路１０２とを、個別に実装してもよい。
【０１７０】
処理回路１０２は、Ｃ−ＣＰＵと称されてもよい。無線端末１０は、処理回路１０２の他に、アプリケーションを実行するＡ−ＣＰＵとも称されるプロセッサ回路を実装してもよい。なお、処理回路１０２は、Ａ−ＣＰＵとも称されるプロセッサ回路とともに１チップで実装してもよいし、個別のチップとして実装してもよい。上述のように、処理回路１０２は、無線端末１０の動作を制御する機能を有する制御部としての側面を有する。
【０１７１】
メモリ１０３は、処理回路１０２で実行されるベースバンド信号処理に係るデータやプログラムを記憶保持するように構成される回路である。メモリ１０３は、不揮発性記憶装置と揮発性記憶装置の両方あるいは一方を少なくとも含んで構成される。たとえば、ＲＡＭ（Random Access Memory）、ＲＯＭ（Read Only Memory）、ＳＳＤ（Solid State Drive）、ＨＤＤ（Hard Disk Drive）などが挙げられる。図８において、メモリ１０３は、主記憶装置及び補助記憶装置などの各種記憶装置を総称したものである。なお、メモリ１０３は、処理回路１０２と同様に、無線通信システム１のプロトコルスタックにおける各レイヤに応じて、二以上のメモリ１０３を実装してもよい。例えば、第一副層（ＰＤＣＰレイヤ）に属する第一副層エンティティ（ＰＤＣＰエンティティ）としての処理に用いられるメモリ１０３と、第二副層（ＲＬＣレイヤ）に属する第二副層エンティティ（ＲＬＣエンティティ）としての処理に用いられるメモリ１０３と、第三副層（ＭＡＣレイヤ）に属する第三副層エンティティ（ＭＡＣエンティティ）としての処理に用いられるメモリ１０３とを、個別に実装してもよい。
【０１７２】
図１６に示す無線基地局２０は、無線通信回路２０１、処理回路２０２、メモリ２０３、有線通信回路２０４、を有する。なお、図１４に示す無線基地局２０では、アンテナの図示を省略している。
【０１７３】
無線通信回路２０１は、ダウンリンクにおいて、処理回路２０２からのベースバンド信号を受けて、ベースバンド信号から所定の出力レベルの無線信号を生成し、アンテナを介して無線信号を空間に放射するように構成される。また、無線通信回路２０１は、アップリンクにおいて、アンテナから入力される無線信号を受信し、無線信号をベースバンド信号に変換し、処理回路２０２へベースバンド信号を供給するように構成される。無線通信回路２０１は、ＣＰＲＩ（Common Public Radio Interface）などの伝送路を介して処理回路２０２と通信可能に接続させることも可能であり、ＲＲＨ（Remote Radii Head）、ＲＲＥ（Remote Radio Equipment）とも称され得る。また、無線通信回路２０１と処理回路２０２との組み合わせは、一対一に限定されるものではなく、一つの無線通信回路２０１に複数の処理回路２０２を対応付けたり、複数の無線通信回路２０１を一つの処理回路２０２に対応付けたり、複数の無線通信回路２０１を複数の処理回路２０２に対応付けることも可能である。上述のように、無線通信回路２０１は、無線端末１０との無線通信を行う機能を有する通信部（送受信部、第二の送受信部とも称される）としての側面を有する。
【０１７４】
処理回路２０２は、ベースバンド信号処理を行うように構成される回路である。処理回路２０２は、ダウンリンクにおいて、無線通信システムにおけるプロトコルスタックに基づいてベースバンド信号を生成し、無線通信回路２０１にベースバンド信号を出力するように構成される。また、処理回路２０２は、アップリンクにおいて、無線通信回路２０１から入力されたベースバンド信号に対して、無線通信システムにおけるプロトコルスタックに基づいて復調・復号などの受信処理を行うように構成される。別言すると、ダウンリンクにおいて、処理回路２０２は、無線通信の機能を複数のレイヤに分割したプロトコルスタックの手順に従って、受信装置としての無線端末１０宛ての送信データを、上位レイヤから下位レイヤへと順次処理して、無線通信回路２０１を介して送信する回路としての側面を有する。また、アップリンクにおいて、処理回路２０２は、無線通信の機能を複数のレイヤに分割したプロトコルスタックの手順に従って、無線通信回路２０１を介して受信した無線信号を、下位レイヤから上位レイヤへと順次処理する回路としての側面を有する。ここで、アップリンクにおいて、無線通信回路２０１からベースバンド信号の入力を受けることは、無線通信回路２０１を介して無線端末１０からの無線信号を受信するという側面を有する。
【０１７５】
処理回路２０２は、例えば、メモリ２０３に格納されたプログラムを読みだして実行することで、上述の各実施例に係る無線基地局２０の動作を実現する演算装置であってもよい。別言すると、処理回路２０２は、図５、図９、図１３に例示する無線基地局２０における処理の流れの実行主体としての側面を有する。処理回路２０２として、例えば、ＣＰＵ（Central Processing Unit）、ＭＰＵ（Micro Processing Unit）、ＤＳＰ（Digital Signal Processor）やＦＰＧＡ（Field Programmable Gate Array）などが挙げられる。なお、処理回路２０２は、二以上のコアを含むマルチコアプロセッサであっても良い。また、処理回路２０２は、無線通信システムのプロトコルスタックにおける各レイヤに応じて、二以上の処理回路２０２を実装してもよい。例えば、ＭＡＣレイヤに属するＭＡＣエンティティとしての処理を実行する処理回路２０２と、ＲＬＣレイヤに属するＲＬＣエンティティとしての処理を実行する処理回路２０２と、ＰＤＣＰレイヤに属するＰＤＣＰエンティティとしての処理を実行する処理回路２０２とを、個別に実装してもよい。上述のように、処理回路２０２は、無線基地局２０の動作を制御する機能を有する制御部（無線端末１０の制御部と区別するために、第二の制御部と称されてもよい）としての側面を有する。
【０１７６】
メモリ２０３は、処理回路２０２で実行されるベースバンド信号処理に係るデータやプログラムを記憶保持するように構成される回路である。メモリ２０３は、不揮発性記憶装置と揮発性記憶装置の両方あるいは一方を少なくとも含んで構成される。たとえば、ＲＡＭ（Random Access Memory）、ＲＯＭ（Read Only Memory）、ＳＳＤ（Solid State Drive）、ＨＤＤ（Hard Disk Drive）などが挙げられる。図１４において、メモリ２０３は、主記憶装置及び補助記憶装置などの各種記憶装置を総称したものである。なお、メモリ２０３は、処理回路２０２と同様に、無線通信システムのプロトコルスタックにおける各レイヤに応じて、二以上のメモリ２０３を実装してもよい。例えば、ＭＡＣレイヤに属するＭＡＣエンティティとしての処理に用いられるメモリ２０３と、ＲＬＣレイヤに属するＲＬＣエンティティとしての処理に用いられるメモリ２０３と、ＰＤＣＰレイヤに属するＰＤＣＰエンティティとしての処理に用いられるメモリ２０３とを、個別に実装してもよい。
【０１７７】
有線通信回路２０４は、他の装置へ出力可能なフォーマットのパケットデータに変換して他の装置へ送信したり、他の装置から受信したパケットデータからデータなどを抽出して、メモリ２０３や処理回路２０２などに出力したりする。他の装置の例としては、他の無線基地局やＭＭＥ（Mobility Management Entity）やＳＧＷ（Serving Gateway）などがあり得る。ＭＭＥやＳＧＷはコアノードとも称され、コアノードとの通信に用いられる論理的な通信インタフェースはＳ１インタフェースとも称される。他の無線基地局装置との通信に用いられる論理的な通信インタフェースはＸ２インタフェースとも称される。
【０１７８】
以上の詳細な説明により、本開示の特徴点及び利点は明らかになるであろう。これは、特許請求の範囲がその精神及び権利範囲を逸脱しない範囲で前述のような本開示の特徴点及び利点にまで及ぶことを意図するものである。また、当該技術分野において通常の知識を有する者であれば、あらゆる改良及び変更に容易に想到できるはずである。したがって、発明性を有する開示の範囲を前述したものに限定する意図はなく、本明細書に開示された範囲に含まれる適当な改良物及び均等物に拠ることも可能である。例えば、本明細書に開示の各工程は、必ずしも処理の流れの一例として説明された順序に沿って時系列に処理する必要はなく、特許請求の範囲に記載された本発明の要旨の範囲内において、工程の順序を入れ替えてもよく、あるいは複数の工程を並列的に実行してもよい。なお、以上の詳細な説明で明らかにされる第五世代移動通信システムに生じ得る事情は、第五世代移動通信システムを一側面から検討した場合に見出し得るものであり、他の側面から検討した場合には、他の事情が見出され得ることに留意されたい。別言すると、本発明の特徴点及び利点は、以上の詳細な説明に明記された事情を解決する用途に限定されるものではない。
【０１７９】
最後に、本開示における各実施例および変形例の構成は、本発明の技術的思想を具体化するための一例を示したものであり、本発明をこれら各実施例および変形例の構成に限定することを意図するものではなく、特許請求の範囲に含まれるその他の実施形態にも等しく適用し得るものである。例えば、本開示における用語は、今後の第五世代移動通信システムの仕様策定において、名称が変更され得ることに留意されたい。また、本開示における用語に対して列挙される一以上の別称は、相互に同義であり得ることに留意されたい。
【符号の説明】
【０１８０】
１  無線通信システム
１０  無線端末
１０１  無線通信回路
１０２  処理回路
１０３  メモリ
２０  無線基地局
２０１  無線通信回路
２０２  処理回路
２０３  メモリ
２０４  有線通信回路
【図１】
2019097589.tif 000003
【図２】
2019097589.tif 000004
【図３】
2019097589.tif 000005
【図４】
2019097589.tif 000006
【図５】
2019097589.tif 000007
【図６】
2019097589.tif 000008
【図７】
2019097589.tif 000009
【図８】
2019097589.tif 000010
【図９】
2019097589.tif 000011
【図１０】
2019097589.tif 000012
【図１１】
2019097589.tif 000013
【図１２】
2019097589.tif 000014
【図１３】
2019097589.tif 000015
【図１４】
2019097589.tif 000016
【図１５】
2019097589.tif 000017
【図１６】
2019097589.tif 000018
【国際調査報告】
2019097589.tif 000019
2019097589.tif 000020
2019097589.tif 000021
2019097589.tif 000022